(57)【要約】  本発明は、情報伝送方法、デバイス、及びシステムを開示し、通信分野に関し、Ｄ２Ｄのシナリオにおいて、比較的長い距離又はチャネル品質の比較的大きな変化のために端末デバイスがＤ２Ｄ通信を実施できない、という従来技術における問題を解決する。具体的な解決法は、第１のデバイスによって、第１のスクランブリングシーケンスを第１のスクランブリングシードに従って生成することであって、第１のスクランブリングシードは、第１の情報の中継レベル又は情報ソースに従って生成される、生成することと、第１の情報を第１のスクランブリングシーケンスに従ってスクランブルするとともに、第１の情報を送信することである。本発明は情報伝送に適用される。
2018518874.tif 000002
【特許請求の範囲】
【請求項１】
デバイス間Ｄ２Ｄのシナリオに適用される第１のデバイスであって、当該第１のデバイスは、プロセッサ、メモリ、バス、及び送信機を含み、前記プロセッサ、前記メモリ、及び前記送信機は、前記バスを使用して相互接続され、
前記プロセッサは、第１のスクランブリングシーケンスを第１のスクランブリングシードに従って生成するとともに、前記第１の情報を前記第１のスクランブリングシーケンスに従ってスクランブルするように構成され、前記第１のスクランブリングシードは、前記第１の情報の中継レベル又は情報ソースに従って生成され、前記第１の情報の前記中継レベルは、受信エンドに伝送される前に前記第１の情報が通過した中継デバイスの量を示すために使用され、前記第１の情報の前記情報ソースは、前記第１の情報を伝送するための開始デバイスの位置を示すために使用され、
前記送信機は、前記プロセッサによってスクランブルされた前記第１の情報を送信するように構成される、第１のデバイス。
【請求項２】
当該第１のデバイスは受信機を更に含み、前記受信機は、前記プロセッサ、前記メモリ、及び前記送信機に前記バスを使用して相互接続され、
前記受信機は、第２の情報の中継レベルが事前設定されたレベルであるか、又は前記第２の情報の情報ソースが事前設定されたソースであるとき、前記第２の情報を受信するように構成され、前記第２の情報の前記中継レベルは、当該第１のデバイスに伝送される前に前記第２の情報が通過した中継デバイスの量を示すために使用され、前記第２の情報の前記情報ソースは、前記第２の情報を伝送するための開始デバイスの位置を示すために使用され、
前記プロセッサは、第２のスクランブリングシーケンスを第２のスクランブリングシードに従って生成するとともに、前記第２の情報を前記第２のスクランブリングシーケンスに従ってデスクランブルするように更に構成され、前記第２のスクランブリングシードは、前記受信機によって受信された前記第２の情報の前記中継レベル又は情報ソースに従って生成される、請求項１に記載のデバイス。
【請求項３】
前記プロセッサは、前記第２のスクランブリングシードが前記第２の情報の前記中継レベルを示すとき、１を加算した前記第２の情報の前記中継レベルを前記第２の情報の新しい中継レベルとして使用し、第３のスクランブリングシードを前記第２の情報の前記新しい中継レベルに従って生成し、第３のスクランブリングシーケンスを前記第３のスクランブリングシードに従って生成するとともに、前記第２の情報を前記第３のスクランブリングシーケンスに従ってスクランブルするように更に構成され、
前記送信機は、前記プロセッサによってスクランブルされた前記第２の情報を送信するように更に構成される、請求項２に記載のデバイス。
【請求項４】
前記第１のスクランブリングシード内のＮビットは、前記第１の情報の前記中継レベル又は情報ソースを示すために使用され、Ｎは０より大きい整数である、請求項１から３のいずれか一項に記載のデバイス。
【請求項５】
前記第１のスクランブリングシードは物理層の識別情報ＩＤを含み、前記物理層のＩＤは前記第１の情報の前記中継レベル又は情報ソースを示すために使用される、請求項１から４のいずれか一項に記載のデバイス。
【請求項６】
前記物理層のＩＤは前記第１の情報の前記中継レベルを示すために使用され、
前記第１のスクランブリングシードに含まれる前記物理層のＩＤのシーケンスが第１のシーケンスであるとき、前記第１の情報の前記中継レベルは０であり、前記第１のスクランブリングシードに含まれる前記物理層のＩＤの前記シーケンスが第（ｉ＋１）のシーケンスであるとき、前記第１の情報の前記中継レベルはｉであり、ｉは正の整数である、請求項５に記載のデバイス。
【請求項７】
前記物理層のＩＤは前記第１の情報の前記中継レベルを示すために使用され、
前記第１のスクランブリングシードに含まれる前記物理層のＩＤのオフセットが第１のオフセットであるとき、前記第１の情報の前記中継レベルは０であり、前記第１のスクランブリングシードに含まれる前記物理層のＩＤの前記オフセットが第（ｉ＋１）のオフセットであるとき、前記第１の情報の前記中継レベルはｉであり、ｉは正の整数である、請求項５に記載のデバイス。
【請求項８】
前記第１の情報は、制御シグナリング、データ情報、又は発見信号である、請求項１から７のいずれか一項に記載のデバイス。
【請求項９】
前記第１の情報を伝送するための前記開始デバイスの前記位置は、ネットワークカバレッジエリアの内部又はネットワークカバレッジエリアの外側にある、請求項１から８のいずれか一項に記載のデバイス。
【請求項１０】
デバイス間Ｄ２Ｄのシナリオに適用される第２のデバイスであって、当該第２のデバイスは、プロセッサ、メモリ、バス、及び受信機を含み、前記プロセッサ、前記メモリ、及び前記受信機は、前記バスを使用して相互接続され、
前記受信機は、第１の情報の中継レベルが事前設定されたレベルであるか、又は前記第１の情報の情報ソースが事前設定されたソースであるとき、前記第１の情報を受信するように構成され、前記第１の情報の前記中継レベルは、当該第２のデバイスに伝送される前に前記第１の情報が通過した中継デバイスの量を示すために使用され、前記第１の情報の前記情報ソースは、前記第１の情報を伝送するための開始デバイスの位置を示すために使用され、
前記プロセッサは、第１のスクランブリングシーケンスを第１のスクランブリングシードに従って生成するとともに、前記第１の情報を前記第１のスクランブリングシーケンスに従ってデスクランブルするように構成され、前記第１のスクランブリングシードは、前記第１の情報の前記中継レベル又は情報ソースに従って生成される、第２のデバイス。
【請求項１１】
当該第２のデバイスは送信機を更に含み、前記送信機は、前記プロセッサ、前記メモリ、及び前記送信機に前記バスを使用して相互接続され、
前記プロセッサは、第２のスクランブリングシーケンスを第２のスクランブリングシードに従って生成するとともに、前記第２の情報を前記第２のスクランブリングシーケンスに従ってスクランブルするように更に構成され、前記第２のスクランブリングシードは、前記第２の情報の中継レベル又は情報ソースに従って生成され、前記第２の情報の前記中継レベルは、受信エンドに伝送される前に前記第２の情報が通過した中継デバイスの量を示すために使用され、前記第２の情報の前記情報ソースは、前記第２の情報を伝送するための開始デバイスの位置を示すために使用され、
前記送信機は、前記プロセッサによってスクランブルされた前記第２の情報を送信するように構成される、請求項１０に記載のデバイス。
【請求項１２】
当該第２のデバイスは送信機を更に含み、前記送信機は、前記プロセッサ、前記メモリ、及び前記送信機に前記バスを使用して相互接続され、
前記プロセッサは、前記第１のスクランブリングシードが前記第１の情報の前記中継レベルを示すとき、１を加算した前記第１の情報の前記中継レベルを前記第１の情報の新しい中継レベルとして使用し、第３のスクランブリングシードを前記第１の情報の前記新しい中継レベルに従って生成し、第３のスクランブリングシーケンスを前記第３のスクランブリングシードに従って生成するとともに、前記第１の情報を前記第３のスクランブリングシーケンスに従ってスクランブルするように更に構成され、
前記送信機は、前記プロセッサによってスクランブルされた前記第１の情報を送信するように構成される、請求項１０に記載のデバイス。
【請求項１３】
前記第１のスクランブリングシード内のＮビットは、前記第１の情報の前記中継レベル又は情報ソースを示し、Ｎは０より大きい整数である、請求項１０から１２のいずれか一項に記載のデバイス。
【請求項１４】
前記第１のスクランブリングシードは物理層の識別情報ＩＤを含み、前記物理層のＩＤは前記第１の情報の前記中継レベル又は情報ソースを示すために使用される、請求項１０から１３のいずれか一項に記載のデバイス。
【請求項１５】
前記物理層のＩＤは前記第１の情報の前記中継レベルを示すために使用され、
前記第１のスクランブリングシードに含まれる前記物理層のＩＤのシーケンスが第１のシーケンスであるとき、前記第１の情報の前記中継レベルは０であり、前記第１のスクランブリングシードに含まれる前記物理層のＩＤの前記シーケンスが第（ｉ＋１）のシーケンスであるとき、前記第１の情報の前記中継レベルはｉであり、ｉは正の整数である、請求項１４に記載のデバイス。
【請求項１６】
前記第１のスクランブリングシードに含まれる前記物理層のＩＤのオフセットが第１のオフセットであるとき、前記第１の情報の前記中継レベルは０であり、前記第１のスクランブリングシードに含まれる前記物理層のＩＤの前記オフセットが第（ｉ＋１）のオフセットであるとき、前記第１の情報の前記中継レベルはｉであり、ｉは正の整数である、請求項１４に記載のデバイス。
【請求項１７】
前記第１の情報は、制御シグナリング、データ情報、又は発見信号である、請求項１０から１６のいずれか一項に記載のデバイス。
【請求項１８】
前記第１の情報を伝送するための前記開始デバイスの前記位置は、ネットワークカバレッジエリアの内部又はネットワークカバレッジエリアの外側にある、請求項１０から１７のいずれか一項に記載のデバイス。
【請求項１９】
デバイス間Ｄ２Ｄのシナリオに適用される第１のデバイスであって、
第１のスクランブリングシーケンスを第１のスクランブリングシードに従って生成するように構成されたスクランブリングコードユニットであって、前記第１のスクランブリングシードは、第１の情報の中継レベル又は情報ソースに従って生成され、前記第１の情報の前記中継レベルは、受信エンドに伝送される前に前記第１の情報が通過した中継デバイスの量を示すために使用され、前記第１の情報の前記情報ソースは、前記第１の情報を伝送するための開始デバイスの位置を示すために使用される、スクランブリングコードユニットと、
前記第１の情報を前記スクランブリングコードユニットによって生成された前記第１のスクランブリングシーケンスに従ってスクランブルするように構成されたスクランブリングユニットと、
前記スクランブリングユニットによってスクランブルされた前記第１の情報を送信するように構成された送信ユニットとを含む、第１のデバイス。
【請求項２０】
当該第１のデバイスは、第２の情報の中継レベルが事前設定されたレベルであるか、又は前記第２の情報の情報ソースが事前設定されたソースであるとき、前記第２の情報を受信するように構成された受信ユニットを更に含み、前記第２の情報の前記中継レベルは、当該第１のデバイスに伝送される前に前記第２の情報が通過した中継デバイスの量を示すために使用され、前記第２の情報の前記情報ソースは、前記第２の情報を伝送するための開始デバイスの位置を示すために使用され、
前記スクランブリングコードユニットは、第２のスクランブリングシーケンスを第２のスクランブリングシードに従って生成するように更に構成され、
当該第１のデバイスは、前記スクランブリングコードユニットによって生成された前記第２のスクランブリングシーケンスに従って、前記受信ユニットによって受信された前記第２の情報をデスクランブルするように構成されたデスクランブリングユニットを更に含み、前記第２のスクランブリングシードは、前記受信機によって受信された前記第２の情報の前記中継レベル又は情報ソースに従って生成される、請求項１９に記載のデバイス。
【請求項２１】
前記スクランブリングコードユニットは、前記第２のスクランブリングシードが前記第２の情報の前記中継レベルを示すとき、１を加算した前記第２の情報の前記中継レベルを前記第２の情報の新しい中継レベルとして使用し、第３のスクランブリングシードを前記第２の情報の前記新しい中継レベルに従って生成するとともに、第３のスクランブリングシーケンスを前記第３のスクランブリングシードに従って生成するように更に構成され、
前記スクランブリングユニットは、前記第２の情報を前記スクランブリングコードユニットによって生成された前記第３のスクランブリングシーケンスに従ってスクランブルするように構成され、
前記送信ユニットは、前記スクランブリングユニットによってスクランブルされた前記第２の情報を送信するように更に構成される、請求項２０に記載のデバイス。
【請求項２２】
前記第１のスクランブリングシード内のＮビットは、前記第１の情報の前記中継レベル又は情報ソースを示すために使用され、Ｎは０より大きい整数である、請求項１９から２１のいずれか一項に記載のデバイス。
【請求項２３】
前記第１のスクランブリングシードは物理層の識別情報ＩＤを含み、前記物理層のＩＤは前記第１の情報の前記中継レベル又は情報ソースを示すために使用される、請求項１９から２２のいずれか一項に記載のデバイス。
【請求項２４】
前記物理層のＩＤは前記第１の情報の前記中継レベルを示すために使用され、
前記第１のスクランブリングシードに含まれる前記物理層のＩＤのシーケンスが第１のシーケンスであるとき、前記第１の情報の前記中継レベルは０であり、前記第１のスクランブリングシードに含まれる前記物理層のＩＤの前記シーケンスが第（ｉ＋１）のシーケンスであるとき、前記第１の情報の前記中継レベルはｉであり、ｉは正の整数である、請求項２３に記載のデバイス。
【請求項２５】
前記物理層のＩＤは前記第１の情報の前記中継レベルを示すために使用され、
前記第１のスクランブリングシードに含まれる前記物理層のＩＤのオフセットが第１のオフセットであるとき、前記第１の情報の前記中継レベルは０であり、前記第１のスクランブリングシードに含まれる前記物理層のＩＤの前記オフセットが第（ｉ＋１）のオフセットであるとき、前記第１の情報の前記中継レベルはｉであり、ｉは正の整数である、請求項２３に記載のデバイス。
【請求項２６】
前記第１の情報は、制御シグナリング、データ情報、又は発見信号である、請求項１９から２５のいずれか一項に記載のデバイス。
【請求項２７】
前記第１の情報を伝送するための前記開始デバイスの前記位置は、ネットワークカバレッジエリアの内部又はネットワークカバレッジエリアの外側にある、請求項１９から２６のいずれか一項に記載のデバイス。
【請求項２８】
第２のデバイスであって、
第１の情報の中継レベルが事前設定されたレベルであるか、又は前記第１の情報の情報ソースが事前設定されたソースであるとき、前記第１の情報を受信するように構成された受信ユニットであって、前記第１の情報の前記中継レベルは、当該第２のデバイスに伝送される前に前記第１の情報が通過した中継デバイスの量を示すために使用され、前記第１の情報の前記情報ソースは、前記第１の情報を伝送するための開始デバイスの位置を示すために使用される、受信ユニットと、
第１のスクランブリングシーケンスを第１のスクランブリングシードに従って生成するように構成されたスクランブリングコードユニットであって、前記第１のスクランブリングシードは、前記第１の情報の前記中継レベル又は情報ソースに従って生成される、スクランブリングコードユニットと、
前記第１の情報を前記スクランブリングコードユニットによって生成された前記第１のスクランブリングシーケンスに従ってデスクランブルするように構成されたデスクランブリングユニットとを含む、第２のデバイス。
【請求項２９】
前記スクランブリングコードユニットは、第２のスクランブリングシーケンスを第２のスクランブリングシードに従って生成するように更に構成され、前記第２のスクランブリングシードは、第２の情報の中継レベル又は情報ソースに従って生成され、前記第２の情報の前記中継レベルは、受信エンドに伝送される前に前記第２の情報が通過した中継デバイスの量を示すために使用され、前記第２の情報の前記情報ソースは、前記第２の情報を伝送するための開始デバイスの位置を示すために使用され、
当該第２のデバイスは、前記第２の情報を前記スクランブリングコードユニットによって生成された前記第２のスクランブリングシーケンスに従ってスクランブルするように構成されたスクランブリングユニットを更に含み、
当該第２のデバイスは、前記スクランブリングユニットによってスクランブルされた前記第２の情報を送信するように構成された送信ユニットを更に含む、請求項２８に記載のデバイス。
【請求項３０】
前記スクランブリングコードユニットは、前記第１のスクランブリングシードが前記第１の情報の前記中継レベルを示すとき、１を加算した前記第１の情報の前記中継レベルを前記第１の情報の新しい中継レベルとして使用し、第３のスクランブリングシードを前記第１の情報の前記新しい中継レベルに従って生成するとともに、第３のスクランブリングシーケンスを前記第３のスクランブリングシードに従って生成するように更に構成され、
当該第２のデバイスは、前記第１の情報を前記スクランブリングコードユニットによって生成された前記第３のスクランブリングシーケンスに従ってスクランブルするように構成されたスクランブリングユニットを更に含み、
当該第２のデバイスは、前記スクランブリングユニットによってスクランブルされた前記第１の情報を送信するように構成された送信ユニットを更に含む、請求項２８に記載のデバイス。
【請求項３１】
前記第１のスクランブリングシード内のＮビットは、前記第１の情報の前記中継レベル又は情報ソースを示し、Ｎは０より大きい整数である、請求項２８から３０のいずれか一項に記載のデバイス。
【請求項３２】
前記第１のスクランブリングシードは物理層の識別情報ＩＤを含み、前記物理層のＩＤは前記第１の情報の前記中継レベル又は情報ソースを示すために使用される、請求項２８から３１のいずれか一項に記載のデバイス。
【請求項３３】
前記物理層のＩＤは前記第１の情報の前記中継レベルを示すために使用され、
前記第１のスクランブリングシードに含まれる前記物理層のＩＤのシーケンスが第１のシーケンスであるとき、前記第１の情報の前記中継レベルは０であり、前記第１のスクランブリングシードに含まれる前記物理層のＩＤの前記シーケンスが第（ｉ＋１）のシーケンスであるとき、前記第１の情報の前記中継レベルはｉであり、ｉは正の整数である、請求項３２に記載のデバイス。
【請求項３４】
前記第１のスクランブリングシードに含まれる前記物理層のＩＤのオフセットが第１のオフセットであるとき、前記第１の情報の前記中継レベルは０であり、前記第１のスクランブリングシードに含まれる前記物理層のＩＤの前記オフセットが第（ｉ＋１）のオフセットであるとき、前記第１の情報の前記中継レベルはｉであり、ｉは正の整数である、請求項３２に記載のデバイス。
【請求項３５】
前記第１の情報は、制御シグナリング、データ情報、又は発見信号である、請求項２８から３４のいずれか一項に記載のデバイス。
【請求項３６】
前記第１の情報を伝送するための前記開始デバイスの前記位置は、ネットワークカバレッジエリアの内部又はネットワークカバレッジエリアの外側にある、請求項２８から３４のいずれか一項に記載のデバイス。
【請求項３７】
デバイス間Ｄ２Ｄのシナリオに適用される情報伝送方法であって、
第１のデバイスによって、第１のスクランブリングシーケンスを第１のスクランブリングシードに従って生成するステップであって、前記第１のスクランブリングシードは、第１の情報の中継レベル又は情報ソースに従って生成され、前記第１の情報の前記中継レベルは、受信エンドに伝送される前に前記第１の情報が通過した中継デバイスの量を示すために使用され、前記第１の情報の前記情報ソースは、前記第１の情報を伝送するための開始デバイスの位置を示すために使用される、ステップと、
前記第１のデバイスによって、前記第１の情報を前記第１のスクランブリングシーケンスに従ってスクランブルするとともに、前記第１の情報を送信するステップとを含む、情報伝送方法。
【請求項３８】
当該方法は、
第２の情報の中継レベルが事前設定されたレベルであるか、又は前記第２の情報の情報ソースが事前設定されたソースであるとき、前記第１のデバイスによって、前記第２の情報を受信するステップであって、前記第２の情報の前記中継レベルは、前記第１のデバイスに伝送される前に前記第２の情報が通過した中継デバイスの量を示すために使用され、前記第２の情報の前記情報ソースは、前記第２の情報を伝送するための開始デバイスの位置を示すために使用される、ステップと、
前記第１のデバイスによって、第２のスクランブリングシーケンスを第２のスクランブリングシードに従って生成するステップであって、前記第２のスクランブリングシードは、前記第２の情報の前記中継レベル又は情報ソースに従って生成される、ステップと、
前記第１のデバイスによって、前記第２の情報を前記第２のスクランブリングシーケンスに従ってデスクランブルするステップとを更に含む、請求項３７に記載の方法。
【請求項３９】
前記第２のスクランブリングシードが前記第２の情報の前記中継レベルを示すとき、
前記第１のデバイスによって、前記第２の情報を前記第２のスクランブリングシーケンスに従ってデスクランブルする前記ステップの後に、当該方法は、
前記第１のデバイスによって、１を加算した前記第２の情報の前記中継レベルを前記第２の情報の新しい中継レベルとして使用し、第３のスクランブリングシードを前記第２の情報の前記新しい中継レベルに従って生成するとともに、第３のスクランブリングシーケンスを前記第３のスクランブリングシードに従って生成するステップと、
前記第１のデバイスによって、前記第２の情報を前記第３のスクランブリングシーケンスに従ってスクランブルするとともに、前記第２の情報を送信するステップとを更に含む、請求項３８に記載の方法。
【請求項４０】
前記第１のスクランブリングシード内のＮビットは、前記第１の情報の前記中継レベル又は情報ソースを示すために使用され、Ｎは０より大きい整数である、請求項３７から３９のいずれか一項に記載の方法。
【請求項４１】
前記第１のスクランブリングシードは物理層の識別情報ＩＤを含み、前記物理層のＩＤは前記第１の情報の前記中継レベル又は情報ソースを示すために使用される、請求項３７から４０のいずれか一項に記載の方法。
【請求項４２】
前記物理層のＩＤは前記第１の情報の前記中継レベルを示すために使用され、
前記第１のスクランブリングシードに含まれる前記物理層のＩＤのシーケンスが第１のシーケンスであるとき、前記第１の情報の前記中継レベルは０であり、前記第１のスクランブリングシードに含まれる前記物理層のＩＤの前記シーケンスが第（ｉ＋１）のシーケンスであるとき、前記第１の情報の前記中継レベルはｉであり、ｉは正の整数である、請求項４１に記載の方法。
【請求項４３】
前記物理層のＩＤは前記第１の情報の前記中継レベルを示すために使用され、
前記第１のスクランブリングシードに含まれる前記物理層のＩＤのオフセットが第１のオフセットであるとき、前記第１の情報の前記中継レベルは０であり、前記第１のスクランブリングシードに含まれる前記物理層のＩＤの前記オフセットが第（ｉ＋１）のオフセットであるとき、前記第１の情報の前記中継レベルはｉであり、ｉは正の整数である、請求項４１に記載の方法。
【請求項４４】
前記第１の情報は、制御シグナリング、データ情報、又は発見信号である、請求項３７から４３のいずれか一項に記載の方法。
【請求項４５】
前記第１の情報を伝送するための前記開始デバイスの前記位置は、ネットワークカバレッジエリアの内部又はネットワークカバレッジエリアの外側にある、請求項３７から４３のいずれか一項に記載の方法。
【請求項４６】
デバイス間Ｄ２Ｄのシナリオに適用される情報伝送方法であって、
第１の情報の中継レベルが事前設定されたレベルであるか、又は前記第１の情報の情報ソースが事前設定されたソースであるとき、第２のデバイスによって、前記第１の情報を受信するステップであって、前記第１の情報の前記中継レベルは、前記第２のデバイスに伝送される前に前記第１の情報が通過した中継デバイスの量を示すために使用され、前記第１の情報の前記情報ソースは、前記第１の情報を伝送するための開始デバイスの位置を示すために使用される、ステップと、
前記第２のデバイスによって、第１のスクランブリングシーケンスを第１のスクランブリングシードに従って生成するステップであって、前記第１のスクランブリングシードは、前記第１の情報の前記中継レベル又は情報ソースに従って生成される、ステップと、
前記第２のデバイスによって、前記第１の情報を前記第１のスクランブリングシーケンスに従ってデスクランブルするステップとを含む、情報伝送方法。
【請求項４７】
当該方法は、
前記第２のデバイスによって、第２のスクランブリングシーケンスを第２のスクランブリングシードに従って生成するステップであって、前記第２のスクランブリングシードは、第２の情報の中継レベル又は情報ソースに従って生成され、前記第２の情報の前記中継レベルは、受信エンドに伝送される前に前記第２の情報が通過した中継デバイスの量を示すために使用され、前記第２の情報の前記情報ソースは、前記第２の情報を伝送するための開始デバイスの位置を示すために使用される、ステップと、
前記第２のデバイスによって、前記第２の情報を前記第２のスクランブリングシーケンスに従ってスクランブルするとともに、前記第２の情報を送信するステップとを更に含む、請求項４６に記載の方法。
【請求項４８】
前記第１のスクランブリングシードが前記第１の情報の前記中継レベルを示すとき、
前記第２のデバイスによって、前記第１の情報を前記第１のスクランブリングシーケンスに従ってデスクランブルする前記ステップの後に、当該方法は、
前記第２のデバイスによって、１を加算した前記第１の情報の前記中継レベルを前記第１の情報の新しい中継レベルとして使用し、第３のスクランブリングシードを前記第１の情報の前記新しい中継レベルに従って生成するとともに、第３のスクランブリングシーケンスを前記第３のスクランブリングシードに従って生成するステップと、
前記第２のデバイスによって、前記第１の情報を前記第３のスクランブリングシーケンスに従ってスクランブルするとともに、前記第１の情報を送信するステップとを更に含む、請求項４６に記載の方法。
【請求項４９】
前記第１のスクランブリングシード内のＮビットは、前記第１の情報の前記中継レベル又は情報ソースを示し、Ｎは０より大きい整数である、請求項４６から４８のいずれか一項に記載の方法。
【請求項５０】
前記第１のスクランブリングシードは物理層の識別情報ＩＤを含み、前記物理層のＩＤは前記第１の情報の前記中継レベル又は情報ソースを示すために使用される、請求項４６から４９のいずれか一項に記載の方法。
【請求項５１】
前記物理層のＩＤは前記第１の情報の前記中継レベルを示すために使用され、
前記第１のスクランブリングシードに含まれる前記物理層のＩＤのシーケンスが第１のシーケンスであるとき、前記第１の情報の前記中継レベルは０であり、前記第１のスクランブリングシードに含まれる前記物理層のＩＤの前記シーケンスが第（ｉ＋１）のシーケンスであるとき、前記第１の情報の前記中継レベルはｉであり、ｉは正の整数である、請求項５０に記載の方法。
【請求項５２】
前記第１のスクランブリングシードに含まれる前記物理層のＩＤのオフセットが第１のオフセットであるとき、前記第１の情報の前記中継レベルは０であり、前記第１のスクランブリングシードに含まれる前記物理層のＩＤの前記オフセットが第（ｉ＋１）のオフセットであるとき、前記第１の情報の前記中継レベルはｉであり、ｉは正の整数である、請求項５０に記載の方法。
【請求項５３】
前記第１の情報は、制御シグナリング、データ情報、又は発見信号である、請求項４６から５２のいずれか一項に記載の方法。
【請求項５４】
前記第１の情報を伝送するための前記開始デバイスの前記位置は、ネットワークカバレッジエリアの内部又はネットワークカバレッジエリアの外側にある、請求項４６から５３のいずれか一項に記載の方法。
【請求項５５】
デバイス間Ｄ２Ｄのシナリオに適用されるワイヤレスネットワークシステムであって、第１のデバイス及び第２のデバイスを含み、
前記第１のデバイスは、請求項１から９のいずれか一項に記載の第１のデバイスであり、前記第２のデバイスは、請求項１０から１８のいずれか一項に記載の第２のデバイスであり、又は、
前記第１のデバイスは、請求項１９から２７のいずれか一項に記載の第１のデバイスであり、前記第２のデバイスは、請求項２８から３６のいずれか一項に記載の第２のデバイスである、ワイヤレスネットワークシステム。
【発明の詳細な説明】
【技術分野】
【０００１】
本発明は通信分野に関し、詳細には、情報伝送方法、デバイス、及びシステムに関する。
【背景技術】
【０００２】
通信技術の発達に伴い、ワイヤレス通信システム内で伝送されるデータはますます増加している。より高いスループット及びより高い伝送効率が、ユーザの要求を満たすために要求される。制限された時間周波数リソースを使用することによって資源利用を改善し、データの伝送効率を改善する方法が、重要な問題になる。セルリソースは、Ｄ２Ｄ  ＰｒｏＳｅ（Ｄｅｖｉｃｅ  ｔｏ  Ｄｅｖｉｃｅ  Ｐｒｏｘｉｍｉｔｙ  Ｓｅｒｖｉｃｅ，デバイス間近接サービス）において再使用され、その結果、端末デバイスは互いに直接通信でき、資源利用及びネットワーク容量を改善する。
【０００３】
従来技術では、ＬＴＥ（Ｌｏｎｇ  Ｔｅｒｍ  Ｅｖｏｌｕｔｉｏｎ，ロングタームエボリューション）システムにおけるＤ２Ｄのシナリオが一例として使用される。Ｄ２Ｄシステムでは、直接通信が、携帯電話又はタブレット型コンピュータなどの端末デバイス間で実施され、デバイスはより動きやすく、チャネル状態は素早く変化する。直接通信を実施する２つの端末デバイスが互いから比較的遠くなるか、又はチャネル品質の変化が比較的大きい場合、２つの端末デバイスはＤ２Ｄ通信を実施することができない。
【発明の概要】
【０００４】
本発明の実施例は、情報伝送方法、デバイス、及びシステムを提供し、Ｄ２Ｄのシナリオにおいて、端末デバイスがデータ間のシーケンス関係を識別できないためにエラーがデータ受信中に発生するという問題を解決する。
【０００５】
前述の目的を達成するために、下記の技術的解決法が本発明の実施例において使用される。
【０００６】
第１の態様によれば、本発明の実施例は第１のデバイスを提供し、これはデバイス間Ｄ２Ｄのシナリオに適用され、第１のデバイスは、プロセッサ、メモリ、バス、及び送信機を含み、プロセッサ、メモリ、及び送信機は、バスを使用して相互接続され、
プロセッサは、第１のスクランブリングシーケンスを第１のスクランブリングシードに従って生成するとともに、第１の情報を第１のスクランブリングシーケンスに従ってスクランブルするように構成され、第１のスクランブリングシードは、第１の情報の中継レベル又は情報ソースに従って生成され、第１の情報の中継レベルは、受信エンドに伝送される前に第１の情報が通過した中継デバイスの量を示すために使用され、第１の情報の情報ソースは、第１の情報を伝送するための開始デバイスの位置を示すために使用され、
送信機は、プロセッサによってスクランブルされた第１の情報を送信するように構成される。
【０００７】
第１の態様に関して、第１の可能な実装形態において、第１のデバイスは受信機を更に含み、受信機は、プロセッサ、メモリ、及び送信機にバスを使用して相互接続され、
受信機は、第２の情報の中継レベルが事前設定されたレベルであるか、又は第２の情報の情報ソースが事前設定されたソースであるとき、第２の情報を受信するように構成され、第２の情報の中継レベルは、第１のデバイスに伝送される前に第２の情報が通過した中継デバイスの量を示すために使用され、第２の情報の情報ソースは、第２の情報を伝送するための開始デバイスの位置を示すために使用され、
プロセッサは、第２のスクランブリングシーケンスを第２のスクランブリングシードに従って生成するとともに、第２の情報を第２のスクランブリングシーケンスに従ってデスクランブルするように更に構成され、第２のスクランブリングシードは、受信機によって受信された第２の情報の中継レベル又は情報ソースに従って生成される。
【０００８】
第１の態様の第１の可能な実装形態に関して、第１の態様の第２の可能な実装形態において、
プロセッサは、第２のスクランブリングシードが第２の情報の中継レベルを示すとき、１を加算した第２の情報の中継レベルを第２の情報の新しい中継レベルとして使用し、第３のスクランブリングシードを第２の情報の新しい中継レベルに従って生成し、第３のスクランブリングシーケンスを第３のスクランブリングシードに従って生成するとともに、第２の情報を第３のスクランブリングシーケンスに従ってスクランブルするように更に構成され、
送信機は、プロセッサによってスクランブルされた第２の情報を送信するように更に構成される。
【０００９】
第１の態様又は第１の態様の第１若しくは第２の可能な実装形態のうちの任意の１つに関して、第１の態様の第３の可能な実装形態において、
第１のスクランブリングシード内のＮビットは、第１の情報の中継レベル又は情報ソースを示すために使用され、Ｎは０より大きい整数である。
【００１０】
第１の態様又は第１の態様の第１から第３の可能な実装形態のうちの任意の１つに関して、第１の態様の第４の可能な実装形態において、
第１のスクランブリングシードは物理層の識別情報ＩＤを含み、物理層のＩＤは第１の情報の中継レベル又は情報ソースを示すために使用される。
【００１１】
第１の態様の第４の可能な実装形態に関して、第１の態様の第５の可能な実装形態において、物理層のＩＤは第１の情報の中継レベルを示すために使用され、
第１のスクランブリングシードに含まれる物理層のＩＤのシーケンスが第１のシーケンスであるとき、第１の情報の中継レベルは０であり、第１のスクランブリングシードに含まれる物理層のＩＤのシーケンスが第（ｉ＋１）のシーケンスであるとき、第１の情報の中継レベルはｉであり、ｉは正の整数である。
【００１２】
第１の態様の第４の可能な実装形態に関して、第１の態様の第６の可能な実装形態において、物理層のＩＤは第１の情報の中継レベルを示すために使用され、
第１のスクランブリングシードに含まれる物理層のＩＤのオフセットが第１のオフセットであるとき、第１の情報の中継レベルは０であり、第１のスクランブリングシードに含まれる物理層のＩＤのオフセットが第（ｉ＋１）のオフセットであるとき、第１の情報の中継レベルはｉであり、ｉは正の整数である。
【００１３】
第１の態様又は第１の態様の第１から第６の可能な実装形態のうちの任意の１つに関して、第１の態様の第７の可能な実装形態において、
第１の情報は、制御シグナリング、データ情報、又は発見信号である。
【００１４】
第１の態様又は第１の態様の第１から第７の可能な実装形態のうちの任意の１つに関して、第１の態様の第８の可能な実装形態において、
第１の情報を伝送するための開始デバイスの位置は、ネットワークカバレッジエリアの内部又はネットワークカバレッジエリアの外側にある。
【００１５】
第２の態様によれば、本発明の実施例は第１のデバイスを提供し、これはデバイス間Ｄ２Ｄのシナリオに適用され、第２のデバイスは、プロセッサ、メモリ、バス、及び受信機を含み、プロセッサ、メモリ、及び受信機は、バスを使用して相互接続され、
受信機は、第１の情報の中継レベルが事前設定されたレベルであるか、又は第１の情報の情報ソースが事前設定されたソースであるとき、第１の情報を受信するように構成され、第１の情報の中継レベルは、第２のデバイスに伝送される前に第１の情報が通過した中継デバイスの量を示すために使用され、第１の情報の情報ソースは、第１の情報を伝送するための開始デバイスの位置を示すために使用され、
プロセッサは、第１のスクランブリングシーケンスを第１のスクランブリングシードに従って生成するとともに、第１の情報を第１のスクランブリングシーケンスに従ってデスクランブルするように構成され、第１のスクランブリングシードは、第１の情報の中継レベル又は情報ソースに従って生成される。
【００１６】
第２の態様に関して、第１の可能な実装形態において、第２のデバイスは送信機を更に含み、送信機は、プロセッサ、メモリ、及び送信機にバスを使用して相互接続され、
プロセッサは、第２のスクランブリングシーケンスを第２のスクランブリングシードに従って生成するとともに、第２の情報を第２のスクランブリングシーケンスに従ってスクランブルするように更に構成され、第２のスクランブリングシードは、第２の情報の中継レベル又は情報ソースに従って生成され、第２の情報の中継レベルは、受信エンドに伝送される前に第２の情報が通過した中継デバイスの量を示すために使用され、第２の情報の情報ソースは、第２の情報を伝送するための開始デバイスの位置を示すために使用され、
送信機は、プロセッサによってスクランブルされた第２の情報を送信するように構成される。
【００１７】
第２の態様に関して、第２の態様の第２の可能な実装形態において、第２のデバイスは送信機を更に含み、送信機は、プロセッサ、メモリ、及び送信機にバスを使用して相互接続され、
プロセッサは、第１のスクランブリングシードが第１の情報の中継レベルを示すとき、１を加算した第１の情報の中継レベルを第１の情報の新しい中継レベルとして使用し、第３のスクランブリングシードを第１の情報の新しい中継レベルに従って生成し、第３のスクランブリングシーケンスを第３のスクランブリングシードに従って生成するとともに、第１の情報を第３のスクランブリングシーケンスに従ってスクランブルするように更に構成され、
送信機は、プロセッサによってスクランブルされた第１の情報を送信するように構成される。
【００１８】
第２の態様又は第２の態様の第１若しくは第２の可能な実装形態のうちの任意の１つに関して、第２の態様の第３の可能な実装形態において、
第１のスクランブリングシード内のＮビットは、第１の情報の中継レベル又は情報ソースを示すために使用され、Ｎは０より大きい整数である。
【００１９】
第２の態様又は第２の態様の第１から第３の可能な実装形態のうちの任意の１つに関して、第２の態様の第４の可能な実装形態において、
第１のスクランブリングシードは物理層の識別情報ＩＤを含み、物理層のＩＤは第１の情報の中継レベル又は情報ソースを示すために使用される。
【００２０】
第２の態様の第４の可能な実装形態に関して、第２の態様の第５の可能な実装形態において、物理層のＩＤは第１の情報の中継レベルを示すために使用され、
第１のスクランブリングシードに含まれる物理層のＩＤのシーケンスが第１のシーケンスであるとき、第１の情報の中継レベルは０であり、第１のスクランブリングシードに含まれる物理層のＩＤのシーケンスが第（ｉ＋１）のシーケンスであるとき、第１の情報の中継レベルはｉであり、ｉは正の整数である。
【００２１】
第２の態様の第４の可能な実装形態に関して、第２の態様の第６の可能な実装形態において、物理層のＩＤは第１の情報の中継レベルを示すために使用され、
第１のスクランブリングシードに含まれる物理層のＩＤのオフセットが第１のオフセットであるとき、第１の情報の中継レベルは０であり、第１のスクランブリングシードに含まれる物理層のＩＤのオフセットが第（ｉ＋１）のオフセットであるとき、第１の情報の中継レベルはｉであり、ｉは正の整数である。
【００２２】
第２の態様又は第２の態様の第１から第６の可能な実装形態のうちの任意の１つに関して、第２の態様の第７の可能な実装形態において、
第１の情報は、制御シグナリング、データ情報、又は発見信号である。
【００２３】
第１の態様又は第１の態様の第１から第７の可能な実装形態のうちの任意の１つに関して、第１の態様の第８の可能な実装形態において、
第１の情報を伝送するための開始デバイスの位置は、ネットワークカバレッジエリアの内部又はネットワークカバレッジエリアの外側にある。
【００２４】
第３の態様によれば、本発明の実施例は第１のデバイスを提供し、これはデバイス間Ｄ２Ｄのシナリオに適用され、
第１のスクランブリングシーケンスを第１のスクランブリングシードに従って生成するように構成されたスクランブリングコードユニットであって、第１のスクランブリングシードは、第１の情報の中継レベル又は情報ソースに従って生成され、第１の情報の中継レベルは、受信エンドに伝送される前に第１の情報が通過した中継デバイスの量を示すために使用され、第１の情報の情報ソースは、第１の情報を伝送するための開始デバイスの位置を示すために使用される、スクランブリングコードユニットと、
第１の情報をスクランブリングコードユニットによって生成された第１のスクランブリングシーケンスに従ってスクランブルするように構成されたスクランブリングユニットと、
スクランブリングユニットによってスクランブルされた第１の情報を送信するように構成された送信ユニットとを含む。
【００２５】
第３の態様に関して、第１の可能な実装形態において、
第１のデバイスは、第２の情報の中継レベルが事前設定されたレベルであるか、又は第２の情報の情報ソースが事前設定されたソースであるとき、第２の情報を受信するように構成された受信ユニットを更に含み、第２の情報の中継レベルは、第１のデバイスに伝送される前に第２の情報が通過した中継デバイスの量を示すために使用され、第２の情報の情報ソースは、第２の情報を伝送するための開始デバイスの位置を示すために使用され、
スクランブリングコードユニットは、第２のスクランブリングシーケンスを第２のスクランブリングシードに従って生成するように更に構成され、
第１のデバイスは、スクランブリングコードユニットによって生成された第２のスクランブリングシーケンスに従って、受信ユニットによって受信された第２の情報をデスクランブルするように構成されたデスクランブリングユニットを更に含み、第２のスクランブリングシードは、受信機によって受信された第２の情報の中継レベル又は情報ソースに従って生成される。
【００２６】
第３の態様の第１の可能な実装形態に関して、第３の態様の第２の可能な実装形態において、
スクランブリングコードユニットは、第２のスクランブリングシードが第２の情報の中継レベルを示すとき、１を加算した第２の情報の中継レベルを第２の情報の新しい中継レベルとして使用し、第３のスクランブリングシードを第２の情報の新しい中継レベルに従って生成するとともに、第３のスクランブリングシーケンスを第３のスクランブリングシードに従って生成するように更に構成され、
スクランブリングユニットは、第２の情報をスクランブリングコードユニットによって生成された第３のスクランブリングシーケンスに従ってスクランブルするように構成され、
送信ユニットは、スクランブリングユニットによってスクランブルされた第２の情報を送信するように更に構成される。
【００２７】
第３の態様又は第３の態様の第１若しくは第２の可能な実装形態のうちの任意の１つに関して、第３の態様の第３の可能な実装形態において、
第１のスクランブリングシード内のＮビットは、第１の情報の中継レベル又は情報ソースを示すために使用され、Ｎは０より大きい整数である。
【００２８】
第３の態様又は第３の態様の第１から第３の可能な実装形態のうちの任意の１つに関して、第３の態様の第４の可能な実装形態において、
第１のスクランブリングシードは物理層の識別情報ＩＤを含み、物理層のＩＤは第１の情報の中継レベル又は情報ソースを示すために使用される。
【００２９】
第３の態様の第４の可能な実装形態に関して、第３の態様の第５の可能な実装形態において、物理層のＩＤは第１の情報の中継レベルを示すために使用され、
第１のスクランブリングシードに含まれる物理層のＩＤのシーケンスが第１のシーケンスであるとき、第１の情報の中継レベルは０であり、第１のスクランブリングシードに含まれる物理層のＩＤのシーケンスが第（ｉ＋１）のシーケンスであるとき、第１の情報の中継レベルはｉであり、ｉは正の整数である。
【００３０】
第３の態様の第４の可能な実装形態に関して、第３の態様の第６の可能な実装形態において、物理層のＩＤは第１の情報の中継レベルを示すために使用され、
第１のスクランブリングシードに含まれる物理層のＩＤのオフセットが第１のオフセットであるとき、第１の情報の中継レベルは０であり、第１のスクランブリングシードに含まれる物理層のＩＤのオフセットが第（ｉ＋１）のオフセットであるとき、第１の情報の中継レベルはｉであり、ｉは正の整数である。
【００３１】
第３の態様又は第３の態様の第１から第６の可能な実装形態のうちの任意の１つに関して、第３の態様の第７の可能な実装形態において、
第１の情報は、制御シグナリング、データ情報、又は発見信号である。
【００３２】
第１の態様又は第１の態様の第１から第７の可能な実装形態のうちの任意の１つに関して、第１の態様の第８の可能な実装形態において、
第１の情報を伝送するための開始デバイスの位置は、ネットワークカバレッジエリアの内部又はネットワークカバレッジエリアの外側にある。
【００３３】
第４の態様によれば、本発明の実施例は第１のデバイスを提供し、これはデバイス間Ｄ２Ｄのシナリオに適用され、
第１の情報の中継レベルが事前設定されたレベルであるか、又は第１の情報の情報ソースが事前設定されたソースであるとき、第１の情報を受信するように構成された受信ユニットであって、第１の情報の中継レベルは、第２のデバイスに伝送される前に第１の情報が通過した中継デバイスの量を示すために使用され、第１の情報の情報ソースは、第１の情報を伝送するための開始デバイスの位置を示すために使用される、受信ユニットと、
第１のスクランブリングシーケンスを第１のスクランブリングシードに従って生成するように構成されたスクランブリングコードユニットであって、第１のスクランブリングシードは、第１の情報の中継レベル又は情報ソースに従って生成される、スクランブリングコードユニットと、
第１の情報をスクランブリングコードユニットによって生成された第１のスクランブリングシーケンスに従ってデスクランブルするように構成されたデスクランブリングユニットとを含む。
【００３４】
第４の態様に関して、第１の可能な実装形態において、
スクランブリングコードユニットは、第２のスクランブリングシーケンスを第２のスクランブリングシードに従って生成するように更に構成され、第２のスクランブリングシードは、第２の情報の中継レベル又は情報ソースに従って生成され、第２の情報の中継レベルは、受信エンドに伝送される前に第２の情報が通過した中継デバイスの量を示すために使用され、第２の情報の情報ソースは、第２の情報を伝送するための開始デバイスの位置を示すために使用され、
第２のデバイスは、第２の情報をスクランブリングコードユニットによって生成された第２のスクランブリングシーケンスに従ってスクランブルするように構成されたスクランブリングユニットを更に含み、
第２のデバイスは、スクランブリングユニットによってスクランブルされた第２の情報を送信するように構成された送信ユニットを更に含む。
【００３５】
第４の態様に関して、第４の態様の第２の可能な実装形態において、
スクランブリングコードユニットは、第１のスクランブリングシードが第１の情報の中継レベルを示すとき、１を加算した第１の情報の中継レベルを第１の情報の新しい中継レベルとして使用し、第３のスクランブリングシードを第１の情報の新しい中継レベルに従って生成するとともに、第３のスクランブリングシーケンスを第３のスクランブリングシードに従って生成するように更に構成され、
第２のデバイスは、第１の情報をスクランブリングコードユニットによって生成された第３のスクランブリングシーケンスに従ってスクランブルするように構成されたスクランブリングユニットを更に含み、
第２のデバイスは、スクランブリングユニットによってスクランブルされた第１の情報を送信するように構成された送信ユニットを更に含む。
【００３６】
第４の態様又は第４の態様の第１若しくは第２の可能な実装形態のうちの任意の１つに関して、第４の態様の第３の可能な実装形態において、
第１のスクランブリングシード内のＮビットは、第１の情報の中継レベル又は情報ソースを示すために使用され、Ｎは０より大きい整数である。
【００３７】
第４の態様又は第４の態様の第１から第３の可能な実装形態のうちの任意の１つに関して、第４の態様の第４の可能な実装形態において、
第１のスクランブリングシードは物理層の識別情報ＩＤを含み、物理層のＩＤは第１の情報の中継レベル又は情報ソースを示すために使用される。
【００３８】
第４の態様の第４の可能な実装形態に関して、第４の態様の第５の可能な実装形態において、物理層のＩＤは第１の情報の中継レベルを示すために使用され、
第１のスクランブリングシードに含まれる物理層のＩＤのシーケンスが第１のシーケンスであるとき、第１の情報の中継レベルは０であり、第１のスクランブリングシードに含まれる物理層のＩＤのシーケンスが第（ｉ＋１）のシーケンスであるとき、第１の情報の中継レベルはｉであり、ｉは正の整数である。
【００３９】
第４の態様の第４の可能な実装形態に関して、第４の態様の第６の可能な実装形態において、物理層のＩＤは第１の情報の中継レベルを示すために使用され、
第１のスクランブリングシードに含まれる物理層のＩＤのオフセットが第１のオフセットであるとき、第１の情報の中継レベルは０であり、第１のスクランブリングシードに含まれる物理層のＩＤのオフセットが第（ｉ＋１）のオフセットであるとき、第１の情報の中継レベルはｉであり、ｉは正の整数である。
【００４０】
第４の態様又は第４の態様の第１から第６の可能な実装形態のうちの任意の１つに関して、第４の態様の第７の可能な実装形態において、
第１の情報は、制御シグナリング、データ情報、又は発見信号である。
【００４１】
第１の態様又は第１の態様の第１から第７の可能な実装形態のうちの任意の１つに関して、第１の態様の第８の可能な実装形態において、
第１の情報を伝送するための開始デバイスの位置は、ネットワークカバレッジエリアの内部又はネットワークカバレッジエリアの外側にある。
【００４２】
第５の態様によれば、本発明の実施例は情報伝送方法を提供し、これはデバイス間Ｄ２Ｄのシナリオに適用され、
第１のデバイスによって、第１のスクランブリングシーケンスを第１のスクランブリングシードに従って生成するステップであって、第１のスクランブリングシードは、第１の情報の中継レベル又は情報ソースに従って生成され、第１の情報の中継レベルは、受信エンドに伝送される前に第１の情報が通過した中継デバイスの量を示すために使用され、第１の情報の情報ソースは、第１の情報を伝送するための開始デバイスの位置を示すために使用される、ステップと、
第１のデバイスによって、第１の情報を第１のスクランブリングシーケンスに従ってスクランブルするとともに、第１の情報を送信するステップとを含む。
【００４３】
第５の態様に関して、第１の可能な実装形態において、方法は、
第２の情報の中継レベルが事前設定されたレベルであるか、又は第２の情報の情報ソースが事前設定されたソースであるとき、第１のデバイスによって、第２の情報を受信するステップであって、第２の情報の中継レベルは、第１のデバイスに伝送される前に第２の情報が通過した中継デバイスの量を示すために使用され、第２の情報の情報ソースは、第２の情報を伝送するための開始デバイスの位置を示すために使用される、ステップと、
第１のデバイスによって、第２のスクランブリングシーケンスを第２のスクランブリングシードに従って生成するステップであって、第２のスクランブリングシードは、第２の情報の中継レベル又は情報ソースに従って生成される、ステップと、
第１のデバイスによって、第２の情報を第２のスクランブリングシーケンスに従ってデスクランブルするステップとを更に含む。
【００４４】
第５の態様の第１の可能な実装形態に関して、第５の態様の第２の可能な実装形態において、
第２のスクランブリングシードが第２の情報の中継レベルを示すとき、
第１のデバイスによって、第２の情報を第２のスクランブリングシーケンスに従ってデスクランブルするステップの後に、方法は、
第１のデバイスによって、１を加算した第２の情報の中継レベルを第２の情報の新しい中継レベルとして使用し、第３のスクランブリングシードを第２の情報の新しい中継レベルに従って生成するとともに、第３のスクランブリングシーケンスを第３のスクランブリングシードに従って生成するステップと、
第１のデバイスによって、第２の情報を第３のスクランブリングシーケンスに従ってスクランブルするとともに、第２の情報を送信するステップとを更に含む。
【００４５】
第５の態様又は第５の態様の第１若しくは第２の可能な実装形態のうちの任意の１つに関して、第５の態様の第３の可能な実装形態において、
第１のスクランブリングシード内のＮビットは、第１の情報の中継レベル又は情報ソースを示すために使用され、Ｎは０より大きい整数である。
【００４６】
第５の態様又は第５の態様の第１から第３の可能な実装形態のうちの任意の１つに関して、第５の態様の第４の可能な実装形態において、
第１のスクランブリングシードは物理層の識別情報ＩＤを含み、物理層のＩＤは第１の情報の中継レベル又は情報ソースを示すために使用される。
【００４７】
第５の態様の第４の可能な実装形態に関して、第５の態様の第５の可能な実装形態において、物理層のＩＤは第１の情報の中継レベルを示すために使用され、
第１のスクランブリングシードに含まれる物理層のＩＤのシーケンスが第１のシーケンスであるとき、第１の情報の中継レベルは０であり、第１のスクランブリングシードに含まれる物理層のＩＤのシーケンスが第（ｉ＋１）のシーケンスであるとき、第１の情報の中継レベルはｉであり、ｉは正の整数である。
【００４８】
第５の態様の第４の可能な実装形態に関して、第５の態様の第６の可能な実装形態において、物理層のＩＤは第１の情報の中継レベルを示すために使用され、
第１のスクランブリングシードに含まれる物理層のＩＤのオフセットが第１のオフセットであるとき、第１の情報の中継レベルは０であり、第１のスクランブリングシードに含まれる物理層のＩＤのオフセットが第（ｉ＋１）のオフセットであるとき、第１の情報の中継レベルはｉであり、ｉは正の整数である。
【００４９】
第５の態様又は第５の態様の第１から第６の可能な実装形態のうちの任意の１つに関して、第５の態様の第７の可能な実装形態において、
第１の情報は、制御シグナリング、データ情報、又は発見信号である。
【００５０】
第１の態様又は第１の態様の第１から第７の可能な実装形態のうちの任意の１つに関して、第１の態様の第８の可能な実装形態において、
第１の情報を伝送するための開始デバイスの位置は、ネットワークカバレッジエリアの内部又はネットワークカバレッジエリアの外側にある。
【００５１】
第６の態様によれば、本発明の実施例は情報伝送方法を提供し、これはデバイス間Ｄ２Ｄのシナリオに適用され、
第１の情報の中継レベルが事前設定されたレベルであるか、又は第１の情報の情報ソースが事前設定されたソースであるとき、第２のデバイスによって、第１の情報を受信するステップであって、第１の情報の中継レベルは、第２のデバイスに伝送される前に第１の情報が通過した中継デバイスの量を示すために使用され、第１の情報の情報ソースは、第１の情報を伝送するための開始デバイスの位置を示すために使用される、ステップと、
第２のデバイスによって、第１のスクランブリングシーケンスを第１のスクランブリングシードに従って生成するステップであって、第１のスクランブリングシードは、第１の情報の中継レベル又は情報ソースに従って生成される、ステップと、
第２のデバイスによって、第１の情報を第１のスクランブリングシーケンスに従ってデスクランブルするステップとを含む。
【００５２】
第６の態様に関して、第１の可能な実装形態において、方法は、
第２のデバイスによって、第２のスクランブリングシーケンスを第２のスクランブリングシードに従って生成するステップであって、第２のスクランブリングシードは、第２の情報の中継レベル又は情報ソースに従って生成され、第２の情報の中継レベルは、受信エンドに伝送される前に第２の情報が通過した中継デバイスの量を示すために使用され、第２の情報の情報ソースは、第２の情報を伝送するための開始デバイスの位置を示すために使用される、ステップと、
第２のデバイスによって、第２の情報を第２のスクランブリングシーケンスに従ってスクランブルするとともに、第２の情報を送信するステップとを更に含む。
【００５３】
第６の態様に関して、第６の態様の第２の可能な実装形態において、
第１のスクランブリングシードが第１の情報の中継レベルを示すとき、
第２のデバイスによって、第１の情報を第１のスクランブリングシーケンスに従ってデスクランブルするステップの後に、方法は、
第２のデバイスによって、１を加算した第１の情報の中継レベルを第１の情報の新しい中継レベルとして使用し、第３のスクランブリングシードを第１の情報の新しい中継レベルに従って生成するとともに、第３のスクランブリングシーケンスを第３のスクランブリングシードに従って生成するステップと、
第２のデバイスによって、第１の情報を第３のスクランブリングシーケンスに従ってスクランブルするとともに、第１の情報を送信するステップとを更に含む。
【００５４】
第６の態様又は第６の態様の第１若しくは第２の可能な実装形態のうちの任意の１つに関して、第６の態様の第３の可能な実装形態において、
第１のスクランブリングシード内のＮビットは、第１の情報の中継レベル又は情報ソースを示すために使用され、Ｎは０より大きい整数である。
【００５５】
第６の態様又は第６の態様の第１から第３の可能な実装形態のうちの任意の１つに関して、第６の態様の第４の可能な実装形態において、
第１のスクランブリングシードは物理層の識別情報ＩＤを含み、物理層のＩＤは第１の情報の中継レベル又は情報ソースを示すために使用される。
【００５６】
第６の態様の第４の可能な実装形態に関して、第６の態様の第５の可能な実装形態において、物理層のＩＤは第１の情報の中継レベルを示すために使用され、
第１のスクランブリングシードに含まれる物理層のＩＤのシーケンスが第１のシーケンスであるとき、第１の情報の中継レベルは０であり、第１のスクランブリングシードに含まれる物理層のＩＤのシーケンスが第（ｉ＋１）のシーケンスであるとき、第１の情報の中継レベルはｉであり、ｉは正の整数である。
【００５７】
第６の態様の第４の可能な実装形態に関して、第６の態様の第６の可能な実装形態において、物理層のＩＤは第１の情報の中継レベルを示すために使用され、
第１のスクランブリングシードに含まれる物理層のＩＤのオフセットが第１のオフセットであるとき、第１の情報の中継レベルは０であり、第１のスクランブリングシードに含まれる物理層のＩＤのオフセットが第（ｉ＋１）のオフセットであるとき、第１の情報の中継レベルはｉであり、ｉは正の整数である。
【００５８】
第６の態様又は第６の態様の第１から第６の可能な実装形態のうちの任意の１つに関して、第６の態様の第７の可能な実装形態において、
第１の情報は、制御シグナリング、データ情報、又は発見信号である。
【００５９】
第１の態様又は第１の態様の第１から第７の可能な実装形態のうちの任意の１つに関して、第１の態様の第８の可能な実装形態において、
第１の情報を伝送するための開始デバイスの位置は、ネットワークカバレッジエリアの内部又はネットワークカバレッジエリアの外側にある。
【００６０】
第７の態様によれば、本発明の実施例はワイヤレスネットワークシステムを提供し、これはデバイス間Ｄ２Ｄのシナリオに適用され、第１のデバイス及び第２のデバイスを含み、
第１のデバイスは、第１の態様若しくは第１の態様の任意の可能な実装形態による第１のデバイスであり、第２のデバイスは、第２の態様若しくは第２の態様の任意の可能な実装形態による第２のデバイスであり、又は、
第１のデバイスは、第３の態様若しくは第３の態様の任意の可能な実装形態による第１のデバイスであり、第２のデバイスは、第４の態様若しくは第４の態様の任意の可能な実装形態による第２のデバイスである。
【００６１】
本発明の実施例において提供された情報伝送方法、デバイス、及びシステムによれば、第１のデバイスは、第１のスクランブリングシーケンスを第１のスクランブリングシードに従って生成し、第１の情報を第１のスクランブリングシーケンスに従ってスクランブルするとともに、第１の情報を送信し、ここで第１のスクランブリングシードは、第１の情報の中継レベル又は情報ソースに従って生成される。第１のスクランブリングシードが第１の情報の中継レベル又は情報ソースを示すので、異なる中継レベルの、又は異なる情報ソースからの、しかし同じ情報の内容を有する情報は、１度だけ転送されることができ、繰り返される送信を回避し、チャネルリソースを節約する。これは、Ｄ２Ｄのシナリオにおいて、比較的長い距離又はチャネル品質の比較的大きな変化のために端末デバイスがＤ２Ｄ通信を実施できない、という従来技術における問題を解決する。
【００６２】
本発明の実施例における、又は従来技術における技術的解決法をより明確に説明するために、下記は、実施例を説明するために要求される添付の図面を簡単に説明する。明らかに、下記の説明における添付の図面は、本発明のいくつかの実施例を示すに過ぎず、当業者は、他の図面をこれらの添付の図面から創造的な努力をすることなく更に導き出し得る。
【図面の簡単な説明】
【００６３】
【図１】本発明の一実施例による情報伝送方法の概略流れ図である。
【図２】本発明の一実施例によるスクランブリングシードのデータ構造の概略図である。
【図３】本発明の一実施例による別の情報伝送方法の概略流れ図である。
【図４】本発明の一実施例によるＤ２Ｄのシナリオのネットワークアーキテクチャの概略図である。
【図５】本発明の別の実施例による情報伝送方法の概略流れ図である。
【図６】本発明の一実施例による第１のデバイスの概略構造図である。
【図７】本発明の一実施例による第２のデバイスの概略構造図である。
【図８】本発明の別の実施例による第１のデバイスの概略構造図である。
【図９】本発明の別の実施例による第２のデバイスの概略構造図である。
【図１０】本発明の一実施例によるワイヤレスネットワークシステムの概略構造図である。
【発明を実施するための形態】
【００６４】
下記は、本発明の実施例における技術的解決法を、本発明の実施例における添付の図面を参照しながら明確かつ十分に説明する。明らかに、説明された実施例は本発明の実施例のうちのいくつかに過ぎず、全てではない。当業者によって本発明の実施例に基づいて創造的な努力をすることなく取得された全ての他の実施例は、本発明の保護範囲に含まれるものとする。
【００６５】
本発明の実施例の技術的解決法は、グローバルシステムフォーモバイルコミュニケーションズ（Ｇｌｏｂａｌ  Ｓｙｓｔｅｍ  ｏｆ  Ｍｏｂｉｌｅ  ｃｏｍｍｕｎｉｃａｔｉｏｎ，ＧＳＭ）システム、符号分割多元接続（Ｃｏｄｅ  Ｄｉｖｉｓｉｏｎ  Ｍｕｌｔｉｐｌｅ  Ａｃｃｅｓｓ，ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ，ＷＣＤＭＡ）システム、汎用パケット無線通信システム（Ｇｅｎｅｒａｌ  Ｐａｃｋｅｔ  Ｒａｄｉｏ  Ｓｅｒｖｉｃｅ，ＧＰＲＳ）、ロングタームエボリューション（Ｌｏｎｇ  Ｔｅｒｍ  Ｅｖｏｌｕｔｉｏｎ，ＬＴＥ）システム、ＬＴＥ周波数分割双方向伝送方式（Ｆｒｅｑｕｅｎｃｙ  Ｄｉｖｉｓｉｏｎ  Ｄｕｐｌｅｘ，ＦＤＤ）システム、ＬＴＥ時分割双方向伝送方式（Ｔｉｍｅ  Ｄｉｖｉｓｉｏｎ  Ｄｕｐｌｅｘ，ＴＤＤ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ，ＵＭＴＳ）、又はワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ，ＷｉＭＡＸ）通信システムなどの、様々な通信システムに適用されてよい、ということを理解されたい。
【００６６】
本発明の実施例における第１のデバイス又は第２のデバイスは、携帯電話（若しくは「セルラ」フォンと呼ばれる）、又はワイヤレス通信機能を有するコンピュータであってよい、ということを理解されたい。或いは、ユーザ機器は、ポータブルの、ポケットサイズの、ハンドヘルド式の、コンピュータビルトインの、又は車載のモバイル装置であってよい。
【００６７】
本発明の実施例において、「第１」及び「第２」は区別するために使用されるだけであり、本発明の実施例を限定することを意図されていない。第１のデバイスは第２のデバイスの方法を実行することができ、第２のデバイスは第１のデバイスの方法を実行することもできる。同様に、本発明の実施例における第１の情報及び第２の情報は、また、区別するためにのみ使用される。第１の情報を使用することによって実施される機能は、第２の情報を使用することによって実施されてもよい。これは本発明において限定されない。
【００６８】
本発明の実施例は情報伝送方法を提供し、これはＤ２Ｄ（Ｄｅｖｉｃｅ  ｔｏ  Ｄｅｖｉｃｅ，デバイス間）のシナリオに適用される。図１に示されたように、方法は下記のステップを含む。
【００６９】
１０１：第１のデバイスは、第１のスクランブリングシーケンスを第１のスクランブリングシードに従って生成する。
【００７０】
第１のスクランブリングシードは、第１の情報の中継レベル又は情報ソースに従って生成される。第１の情報の中継レベルは、受信エンドに伝送される前に第１の情報が通過した中継デバイスの量を示すために使用される。第１の情報の情報ソースは、第１の情報を伝送するための開始デバイスの位置を示すために使用される。第１のデバイスが第１の情報を伝送するための開始デバイスであるとき、第１の情報の中継レベルは０であることに留意されたい。加えて、本明細書で説明された第１の情報を伝送するための開始デバイスの位置は、ネットワークカバレッジエリアの内部又はネットワークカバレッジエリアの外側にある。例えば、第１の情報を伝送するための開始デバイスの位置は、セルの中、又はセルの外にあり得る。開始デバイスの位置を定義する方法は、本発明では限定されない。
【００７１】
任意選択で、第１の情報は制御シグナリング又はデータ情報であってよい。図２に示されたように、図２は第１のスクランブリングシードの構造を示す。第１の情報が制御シグナリングであるとき、第１の構造が第１のスクランブリングシードの構造であり、第１の情報がデータ情報であるとき、第２の構造が第１のスクランブリングシードの構造である。第１のスクランブリングシード内のＮビットは、第１の情報の中継レベル又は情報ソースを示すために使用されてよく、ここでＮは０より大きい整数である。例えば、１つのビットが情報ソースを示すために使用されるとき、０は、第１の情報を伝送するための開始デバイスの位置がセルの中にあることを示し、１は、開始デバイスの位置がセルの外にあることを示す。別の例に関して、２つのビットが第１の情報の中継レベルを示すために使用されるとき、「００」は、第１の情報の中継レベルが０であることを示し、「０１」は、第１の情報の中継レベルが１であることを示し、「１０」は、第１の情報の中継レベルが２であることを示し、「１１」は、第１の情報の中継レベルが４であることを示す。確実に、これらは説明のための例に過ぎず、本発明がこれらに限定されることを意味しない。
【００７２】
或いは、任意選択で、第１のスクランブリングシードは物理層のＩＤ（Ｉｄｅｎｔｉｔｙ，識別情報）を含み、物理層のＩＤは、第１の情報の中継レベル又は情報ソースを示すために使用される。
【００７３】
具体的には任意選択で、応用シナリオにおいて、第１のスクランブリングシードは、第１の情報の中継レベルを示し得る。物理層のＩＤが第１の情報の中継レベルを示すことが一例として使用される。
【００７４】
第１のスクランブリングシードに含まれる物理層のＩＤのシーケンスが第１のシーケンスであるとき、第１の情報の中継レベルは０であり、第１のスクランブリングシードに含まれる物理層のＩＤのシーケンスが第（ｉ＋１）のシーケンスであるとき、第１の情報の中継レベルはｉであり、ここでｉは正の整数である。
【００７５】
或いは、第１のスクランブリングシードに含まれる物理層のＩＤのオフセットが第１のオフセットであるとき、第１の情報の中継レベルは０であり、第１のスクランブリングシードに含まれる物理層のＩＤのオフセットが第（ｉ＋１）のオフセットであるとき、第１の情報の中継レベルはｉであり、ここでｉは正の整数である。
【００７６】
確実に、これは説明のための例に過ぎず、本発明がこれに限定されることを意味しない。
【００７７】
１０２：第１のデバイスは、第１の情報を第１のスクランブリングシーケンスに従ってスクランブルし、第１の情報を送信する。
【００７８】
任意選択で、ステップ１０２の後に、方法は、
第２の情報の中継レベルが事前設定されたレベルであるか、又は第２の情報の情報ソースが事前設定されたソースであるとき、第１のデバイスによって、第２の情報を受信することであって、第２の情報の中継レベルは、第１のデバイスに伝送される前に第２の情報が通過した中継デバイスの量を示すために使用され、第２の情報の情報ソースは、第２の情報を伝送するための開始デバイスの位置を示すために使用される、受信することと、
第１のデバイスによって、第２のスクランブリングシーケンスを第２のスクランブリングシードに従って生成することであって、第２のスクランブリングシードは、第２の情報の中継レベル又は情報ソースに従って生成される、生成することと、
第１のデバイスによって、第２の情報を第２のスクランブリングシーケンスに従ってデスクランブルすることとを更に含んでよい。
【００７９】
更に任意選択で、第２のスクランブリングシードが第２の情報の中継レベルを示すとき、第１のデバイスによって、第２の情報を第２のスクランブリングシーケンスに従ってデスクランブルすることの後に、方法は、
第１のデバイスによって、１を加算した第２の情報の中継レベルを第２の情報の新しい中継レベルとして使用し、第３のスクランブリングシードを第２の情報の新しい中継レベルに従って生成するとともに、第３のスクランブリングシーケンスを第３のスクランブリングシードに従って生成することと、
第１のデバイスによって、第２の情報を第３のスクランブリングシーケンスに従ってスクランブルするとともに、第２の情報を送信することとを更に含む。
【００８０】
本発明の本実施例において提供された情報伝送方法によれば、第１のデバイスは、第１のスクランブリングシーケンスを第１のスクランブリングシードに従って生成し、第１の情報を第１のスクランブリングシーケンスに従ってスクランブルするとともに、第１の情報を送信し、ここで第１のスクランブリングシードは、第１の情報の中継レベル又は情報ソースに従って生成される。第１のスクランブリングシードが第１の情報の中継レベル又は情報ソースを示すので、異なる中継レベルの、又は異なる情報ソースからの、しかし同じ情報の内容を有する情報は、１度だけ転送されることができ、繰り返される伝送を回避し、チャネルリソースを節約する。これは、Ｄ２Ｄのシナリオにおいて、比較的長い距離又はチャネル品質の比較的大きな変化のために端末デバイスがＤ２Ｄ通信を実施できない、という従来技術における問題を解決する。
【００８１】
図１に対応する実施例に関して、本発明の実施例は別の情報伝送方法を提供し、これは図１に対応する実施例における情報伝送方法の受信側に対応する。図３に示されたように、方法は下記のステップを含む。
【００８２】
３０１：第２のデバイスは、第１の情報の中継レベルが事前設定されたレベルであるか、又は第１の情報の情報ソースが事前設定されたソースであるとき、第１の情報を受信する。
【００８３】
第１の情報の中継レベルは、第２のデバイスに伝送される前に第２の情報が通過した中継デバイスの量を示すために使用される。第１の情報の情報ソースは、第１の情報を伝送するための開始デバイスの位置を示すために使用される。
【００８４】
第２のデバイスは、最初に第１の情報の全て又は一部を一時的に格納し、その後一時的に格納された部分をデスクランブルすることに留意されたい。デスクランブリング中に使用されるスクランブリングシードは、事前設定されたレベル又は事前設定されたソースに従って生成される。デスクランブリングが正確に実施される場合、第１の情報の中継レベルが事前設定されたレベルであること、又は第１の情報の情報ソースが事前設定されたソースであることを示す。このケースでは、第２のデバイスは、第１の情報の残りの部分を受信してよく、又は全ての一時的に格納された第１の情報をデスクランブルしてよい。任意選択で、第２のデバイスは、第１の情報の伝送のための送信先デバイス又は中継デバイスであってよい。事前設定されたレベルは事前設定された中継レベルであり、事前設定されたソースは事前設定された情報ソースである。このようにして、第２のデバイスは、中継レベルが事前設定されたレベルであるか、又は情報ソースが事前設定されたソースである情報を受信するだけである。異なる中継レベルの情報だが同じ内容を有する情報、又は異なる情報ソースからの情報だが同じ内容を有する情報は１度だけ受信され、同じ情報を繰り返し受信することを回避する。
【００８５】
図４に示されたような、ＬＴＥ（Ｌｏｎｇ  Ｔｅｒｍ  Ｅｖｏｌｕｔｉｏｎ，ロングタームエボリューション）システムにおけるＤ２Ｄのシナリオを一例として使用すると、第１のデバイス４０１がデータを第２のデバイス４０２に、第３のデバイス４０３及び第４のデバイス４０４を使用することによって伝送する必要がある場合、第１のデバイス４０１は、ＳＡ（Ｓｃｈｅｄｕｌｉｎｇ  Ａｓｓｉｇｎｍｅｎｔ，スケジューリング割当て）リソースを使用してスケジュールリングシグナリングを送信するとともに、データリソースを使用して対応するＤ２Ｄ信号を送信する必要があることに留意されたい。スケジュールリングシグナリングは、送信先アドレス、即ち第２のデバイスのアドレスを含む。このようにして、第１のデバイス４０１は、信号１を第１の期間内に送信し、その後信号２を第２の期間内に送信する。第１の期間は第２の期間に隣接する。第３のデバイス４０３は、信号１を第１の期間内に受信し、その後信号１を第２の期間内に送信する。このようにして、第４のデバイス４０４は、第２の期間内に、第１のデバイス４０１によって送信された信号２、及び第３のデバイス４０３によって送信された信号１を受信することができる。両方の信号の送信先アドレスが第２のデバイス４０２なので、２つの信号によって搬送されたデータ間のシーケンス関係は、識別されることができない。結果として、エラーがデータ受信中に発生する。しかし、本発明の本実施例において提供された情報伝送方法では、第２のデバイス４０２は事前設定されたレベルの信号を受信するだけである。したがって、同じ中継レベルの信号に対して、シーケンス関係は混乱に陥らない。これは、異なる信号間のシーケンス関係が識別されることができないのでエラーがデータ受信中に発生するという問題を回避する。加えて、異なる中継レベルの情報だが同じ内容を有する情報は１度だけ受信され、繰り返し受信することを回避する。
【００８６】
３０２：第２のデバイスは、第１のスクランブリングシーケンスを第１のスクランブリングシードに従って生成する。
【００８７】
第１のスクランブリングシードは、第１の情報の中継レベル又は情報ソースに従って生成される。
【００８８】
任意選択で、第１の情報は制御シグナリング又はデータ情報であってよく、第１のスクランブリングシード内のＮビットは、第１の情報の中継レベル又は情報ソースを示すために使用されてよく、ここでＮは０より大きい整数である。
【００８９】
或いは、任意選択で、第１のスクランブリングシードは物理層のＩＤを含み、物理層のＩＤは第１の情報の中継レベル又は情報ソースを示すために使用される。
【００９０】
具体的には任意選択で、応用シナリオにおいて、第１のスクランブリングシードは、第１の情報の中継レベルを示し得る。物理層のＩＤが第１の情報の中継レベルを示すことが一例として使用される。
【００９１】
第１のスクランブリングシードに含まれる物理層のＩＤのシーケンスが第１のシーケンスであるとき、第１の情報の中継レベルは０であり、第１のスクランブリングシードに含まれる物理層のＩＤのシーケンスが第（ｉ＋１）のシーケンスであるとき、第１の情報の中継レベルはｉであり、ここでｉは正の整数である。
【００９２】
或いは、第１のスクランブリングシードに含まれる物理層のＩＤのオフセットが第１のオフセットであるとき、第１の情報の中継レベルは０であり、第１のスクランブリングシードに含まれる物理層のＩＤのオフセットが第（ｉ＋１）のオフセットであるとき、第１の情報の中継レベルはｉであり、ここでｉは正の整数である。
【００９３】
確実に、これは説明のための例に過ぎず、本発明がこれに限定されることを意味しない。
【００９４】
３０３：第２のデバイスは、第１の情報を第１のスクランブリングシーケンスに従ってデスクランブルする。
【００９５】
任意選択で、第１のスクランブリングシードが第１の情報の中継レベルを示すとき、ステップ３０３の後に、方法は、
第２のデバイスによって、１を加算した第１の情報の中継レベルを第１の情報の新しい中継レベルとして使用し、第３のスクランブリングシードを第１の情報の新しい中継レベルに従って生成するとともに、第３のスクランブリングシーケンスを第３のスクランブリングシードに従って生成することと、
第２のデバイスによって、第１の情報を第３のスクランブリングシーケンスに従ってスクランブルするとともに、第１の情報を送信することとを更に含む。
【００９６】
加えて、任意選択で、第２のデバイスは、第２のスクランブリングシーケンスを第２のスクランブリングシードに従って更に生成してよい。第２のスクランブリングシードは、第２の情報の中継レベル又は情報ソースに従って生成され、第２の情報の中継レベルは、受信エンドに伝送される前に第２の情報が通過した中継デバイスの量を示すために使用され、第２の情報の情報ソースは、第２の情報を伝送するための開始デバイスの位置を示すために使用される。
【００９７】
第２のデバイスは、第２の情報を第２のスクランブリングシーケンスに従ってスクランブルし、第２の情報を送信する。
【００９８】
本発明の本実施例において提供された情報伝送方法によれば、第２のデバイスは、第１の情報の中継レベルが事前設定されたレベルであるか、又は第１の情報の情報ソースが事前設定されたソースであるとき、第１の情報を受信し、第１のスクランブリングシーケンスを第１のスクランブリングシードに従って生成するとともに、第１の情報を第１のスクランブリングシーケンスに従ってデスクランブルし、ここで第１のスクランブリングシードは、第１の情報の中継レベル又は情報ソースに従って生成される。第１のスクランブリングシードが第１の情報の中継レベル又は情報ソースを示すので、異なる中継レベルの、又は異なる情報ソースからの、しかし同じ情報の内容を有する情報は、１度だけ転送されることができ、繰り返される伝送を回避し、チャネルリソースを節約する。これは、Ｄ２Ｄのシナリオにおいて、比較的長い距離又はチャネル品質の比較的大きな変化のために端末デバイスがＤ２Ｄ通信を実施できない、という従来技術における問題を解決する。
【００９９】
図１及び図２に対応する実施例に基づいて、本発明の別の実施例は情報伝送方法を提供する。本実施例では、第１のデバイス及び第２のデバイスが中継デバイスであることが一例として説明のために使用される。第１のデバイスは第２のデバイスの方法を実行してよく、第２のデバイスは第１のデバイスの方法を実行してよい。第１のデバイス及び第２のデバイスは、区別するために使用されるに過ぎず、第１のデバイス及び第２のデバイスによって実施される機能を限定することを意図されていない。確実に、本実施例は一例として説明のために使用されるに過ぎず、本発明がこれに限定されることを意味しない。図５に示されたように、本発明の本実施例において提供された情報伝送方法は、下記のステップを含む。
【０１００】
５０１：第１のデバイスは、第１のスクランブリングシーケンスを第１のスクランブリングシードに従って生成する。
【０１０１】
第１のスクランブリングシードは、第１の情報の中継レベル又は情報ソースに従って生成される。第１の情報の中継レベルは、受信エンドに伝送される前に第１の情報が通過した中継デバイスの量を示すために使用される。第１の情報の情報ソースは、第１の情報を伝送するための開始デバイスの位置を示すために使用される。第１のデバイスが第１の情報を伝送するための開始デバイスであるとき、第１の情報の中継レベルは０であることに留意されたい。加えて、本明細書で説明された第１の情報を伝送するための開始デバイスの位置は、セルの中又はセルの外にあってよい。開始デバイスの位置を定義する方法は、本発明では限定されない。
【０１０２】
５０２：第１のデバイスは、第１の情報を第１のスクランブリングシーケンスに従ってスクランブルし、第１の情報を第２のデバイスに送信する。
【０１０３】
本実施例では、第１のスクランブリングシードが第１の情報の中継レベルを示すことが、一例として説明のために使用されることに留意されたい。確実に、これは説明のための例に過ぎず、本発明がこれに限定されることを意味しない。
【０１０４】
５０３：第２のデバイスは、第１の情報の中継レベルが事前設定されたレベルであるとき、第１の情報を受信する。
【０１０５】
５０４：第２のデバイスは、第１のスクランブリングシーケンスを第１のスクランブリングシードに従って生成し、第１の情報をデスクランブルする。
【０１０６】
５０５：第２のデバイスは、１を加算した第１の情報の中継レベルを第１の情報の新しい中継レベルとして使用し、第３のスクランブリングシードを第１の情報の新しい中継レベルに従って生成するとともに、第３のスクランブリングシーケンスを第３のスクランブリングシードに従って生成する。
【０１０７】
５０６：第２のデバイスは、第１の情報を第３のスクランブリングシーケンスに従ってスクランブルし、第１の情報を送信する。
【０１０８】
本発明の本実施例において提供された情報伝送方法によれば、第１のデバイスは、第１のスクランブリングシーケンスを第１のスクランブリングシードに従って生成し、第１の情報を第１のスクランブリングシーケンスに従ってスクランブルするとともに、第１の情報を送信し、ここで第１のスクランブリングシードは、第１の情報の中継レベル又は情報ソースに従って生成される。第１のスクランブリングシードが第１の情報の中継レベル又は情報ソースを示すので、異なる中継レベルの、又は異なる情報ソースからの、しかし同じ情報の内容を有する情報は、１度だけ転送されることができ、繰り返される伝送を回避し、チャネルリソースを節約する。これは、Ｄ２Ｄのシナリオにおいて、比較的長い距離又はチャネル品質の比較的大きな変化のために端末デバイスがＤ２Ｄ通信を実施できない、という従来技術における問題を解決する。
【０１０９】
図１に対応する実施例に基づいて、本発明の実施例は第１のデバイスを提供し、図１に対応する実施例において説明された情報伝送方法を実行するように構成され、好ましくはデバイス間Ｄ２Ｄのシナリオに適用される。図６に示されたように、第１のデバイス６０は、スクランブリングコードユニット６０１、スクランブリングユニット６０２、及び送信ユニット６０３を含む。
【０１１０】
スクランブリングコードユニット６０１は、第１のスクランブリングシーケンスを第１のスクランブリングシードに従って生成するように構成される。第１のスクランブリングシードは、第１の情報の中継レベル又は情報ソースに従って生成され、第１の情報の中継レベルは、受信エンドに伝送される前に第１の情報が通過した中継デバイスの量を示すために使用され、第１の情報の情報ソースは、第１の情報を伝送するための開始デバイスの位置を示すために使用される。任意選択で、第１の情報を伝送するための開始デバイスの位置は、ネットワークカバレッジエリアの内部又はネットワークカバレッジエリアの外側にある。
【０１１１】
スクランブリングユニット６０２は、第１の情報をスクランブリングコードユニット６０１によって生成された第１のスクランブリングシーケンスに従ってスクランブルするように構成される。
【０１１２】
送信ユニット６０３は、スクランブリングユニット６０２によってスクランブルされた第１の情報を送信するように構成される。
【０１１３】
任意選択で、応用シナリオにおいて、第１のデバイス６０は、受信ユニット６０４及びデスクランブリングユニット６０５を更に含む。
【０１１４】
受信ユニット６０４は、第２の情報の中継レベルが事前設定されたレベルであるか、又は第２の情報の情報ソースが事前設定されたソースであるとき、第２の情報を受信するように構成される。第２の情報の中継レベルは、第１のデバイスに伝送される前に第２の情報が通過した中継デバイスの量を示すために使用され、第２の情報の情報ソースは、第２の情報を伝送するための開始デバイスの位置を示すために使用される。
【０１１５】
スクランブリングコードユニット６０１は、第２のスクランブリングシーケンスを第２のスクランブリングシードに従って生成するように更に構成される。
【０１１６】
デスクランブリングユニット６０５は、スクランブリングコードユニット６０１によって生成された第２のスクランブリングシーケンスに従って、受信ユニットによって受信された第２の情報をデスクランブルするように構成される。第２のスクランブリングシードは、受信機によって受信された第２の情報の中継レベル又は情報ソースに従って生成される。
【０１１７】
更に任意選択で、スクランブリングコードユニット６０１は、第２のスクランブリングシードが第２の情報の中継レベルを示すとき、１を加算した第２の情報の中継レベルを第２の情報の新しい中継レベルとして使用し、第３のスクランブリングシードを第２の情報の新しい中継レベルに従って生成するとともに、第３のスクランブリングシーケンスを第３のスクランブリングシードに従って生成するように更に構成される。
【０１１８】
スクランブリングユニット６０２は、第２の情報をスクランブリングコードユニット６０１によって生成された第３のスクランブリングシーケンスに従ってスクランブルするように構成される。
【０１１９】
送信ユニット６０３は、スクランブリングユニット６０２によってスクランブルされた第２の情報を送信するように更に構成される。
【０１２０】
任意選択で、第１のスクランブリングシード内のＮビットは、第１の情報の中継レベル又は情報ソースを示すために使用されてよく、Ｎは０より大きい整数である。
【０１２１】
任意選択で、第１のスクランブリングシードは物理層の識別情報ＩＤを代わりに含んでよく、物理層のＩＤは第１の情報の中継レベル又は情報ソースを示すために使用される。
【０１２２】
物理層のＩＤが第１の情報の中継レベルを示すために使用される場合、２つの具体的な実装形態が本明細書で説明のために列挙される。
【０１２３】
実装形態１：第１のスクランブリングシードに含まれる物理層のＩＤのシーケンスが第１のシーケンスであるとき、第１の情報の中継レベルは０であり、第１のスクランブリングシードに含まれる物理層のＩＤのシーケンスが第（ｉ＋１）のシーケンスであるとき、第１の情報の中継レベルはｉであり、ここでｉは正の整数である。
【０１２４】
実装形態２：第１のスクランブリングシードに含まれる物理層のＩＤのオフセットが第１のオフセットであるとき、第１の情報の中継レベルは０であり、第１のスクランブリングシードに含まれる物理層のＩＤのオフセットが第（ｉ＋１）のオフセットであるとき、第１の情報の中継レベルはｉであり、ここでｉは正の整数である。
【０１２５】
任意選択で、第１の情報は、制御シグナリング、データ情報、又は発見信号である。
【０１２６】
本発明の本実施例において提供された第１のデバイスは、第１のスクランブリングシーケンスを第１のスクランブリングシードに従って生成し、第１の情報を第１のスクランブリングシーケンスに従ってスクランブルするとともに、第１の情報を送信し、ここで第１のスクランブリングシードは、第１の情報の中継レベル又は情報ソースに従って生成される。第１のスクランブリングシードが第１の情報の中継レベル又は情報ソースを示すので、異なる中継レベルの、又は異なる情報ソースからの、しかし同じ情報の内容を有する情報は、１度だけ転送されることができ、繰り返される伝送を回避し、チャネルリソースを節約する。これは、Ｄ２Ｄのシナリオにおいて、比較的長い距離又はチャネル品質の比較的大きな変化のために端末デバイスがＤ２Ｄ通信を実施できない、という従来技術における問題を解決する。
【０１２７】
図３に対応する実施例に基づいて、本発明の実施例は第２のデバイスを提供し、図３に対応する実施例において説明された情報伝送方法を実行するように構成され、好ましくはデバイス間Ｄ２Ｄのシナリオに適用される。図７に示されたように、第２のデバイス７０は、受信ユニット７０１、スクランブリングコードユニット７０２、及びデスクランブリングユニット７０３を含む。
【０１２８】
受信ユニット７０１は、第１の情報の中継レベルが事前設定されたレベルであるか、又は第１の情報の情報ソースが事前設定されたソースであるとき、第１の情報を受信するように構成される。第１の情報の中継レベルは、第２のデバイスに伝送される前に第１の情報が通過した中継デバイスの量を示すために使用される。第１の情報の情報ソースは、第１の情報を伝送するための開始デバイスの位置を示すために使用される。任意選択で、第１の情報を伝送するための開始デバイスの位置は、ネットワークカバレッジエリアの内部又はネットワークカバレッジエリアの外側にある。
【０１２９】
スクランブリングコードユニット７０２は、第１のスクランブリングシーケンスを第１のスクランブリングシードに従って生成するように構成される。第１のスクランブリングシードは、第１の情報の中継レベル又は情報ソースに従って生成される。
【０１３０】
デスクランブリングユニット７０３は、第１の情報をスクランブリングコードユニット７０２によって生成された第１のスクランブリングシーケンスに従ってデスクランブルするように構成される。
【０１３１】
任意選択で、第２のデバイス７０は、スクランブリングユニット７０４及び送信ユニット７０５を更に含む。
【０１３２】
任意選択で、応用シナリオにおいて、
【０１３３】
スクランブリングコードユニット７０２は、第２のスクランブリングシーケンスを第２のスクランブリングシードに従って生成するように更に構成される。第２のスクランブリングシードは、第２の情報の中継レベル又は情報ソースに従って生成され、第２の情報の中継レベルは、受信エンドに伝送される前に第２の情報が通過した中継デバイスの量を示すために使用され、第２の情報の情報ソースは、第２の情報を伝送するための開始デバイスの位置を示すために使用される。
【０１３４】
スクランブリングユニット７０４は、第２の情報をスクランブリングコードユニット７０２によって生成された第２のスクランブリングシーケンスに従ってスクランブルするように構成される。
【０１３５】
送信ユニット７０５は、スクランブリングユニット７０４によってスクランブルされた第２の情報を送信するように構成される。
【０１３６】
任意選択で、別の応用シナリオにおいて、
【０１３７】
スクランブリングコードユニット７０２は、第１のスクランブリングシードが第１の情報の中継レベルを示すとき、１を加算した第１の情報の中継レベルを第１の情報の新しい中継レベルとして使用し、第３のスクランブリングシードを第１の情報の新しい中継レベルに従って生成するとともに、第３のスクランブリングシーケンスを第３のスクランブリングシードに従って生成するように更に構成される。
【０１３８】
スクランブリングユニット７０４は、第１の情報をスクランブリングコードユニット７０２によって生成された第３のスクランブリングシーケンスに従ってスクランブルするように構成される。
【０１３９】
送信ユニット７０５は、スクランブリングユニット７０４によってスクランブルされた第１の情報を送信するように構成される。
【０１４０】
任意選択で、第１のスクランブリングシード内のＮビットは、第１の情報の中継レベル又は情報ソースを示すために使用されてよく、Ｎは０より大きい整数である。
【０１４１】
任意選択で、第１のスクランブリングシードは物理層の識別情報ＩＤを代わりに含んでよく、物理層のＩＤは第１の情報の中継レベル又は情報ソースを示すために使用される。
【０１４２】
物理層のＩＤが第１の情報の中継レベルを示すために使用される場合、２つの具体的な実装形態が本明細書で説明のために列挙される。
【０１４３】
実装形態１：第１のスクランブリングシードに含まれる物理層のＩＤのシーケンスが第１のシーケンスであるとき、第１の情報の中継レベルは０であり、第１のスクランブリングシードに含まれる物理層のＩＤのシーケンスが第（ｉ＋１）のシーケンスであるとき、第１の情報の中継レベルはｉであり、ここでｉは正の整数である。
【０１４４】
実装形態２：第１のスクランブリングシードに含まれる物理層のＩＤのオフセットが第１のオフセットであるとき、第１の情報の中継レベルは０であり、第１のスクランブリングシードに含まれる物理層のＩＤのオフセットが第（ｉ＋１）のオフセットであるとき、第１の情報の中継レベルはｉであり、ここでｉは正の整数である。
【０１４５】
任意選択で、第１の情報は、制御シグナリング、データ情報、又は発見信号である。
【０１４６】
本発明の本実施例において提供された第２のデバイスは、第１の情報の中継レベルが事前設定されたレベルであるか、又は第１の情報の情報ソースが事前設定されたソースであるとき、第１の情報を受信し、第１のスクランブリングシーケンスを第１のスクランブリングシードに従って生成するとともに、第１の情報を第１のスクランブリングシーケンスに従ってデスクランブルし、ここで第１のスクランブリングシードは、第１の情報の中継レベル又は情報ソースに従って生成される。第１のスクランブリングシードが第１の情報の中継レベル又は情報ソースを示すので、異なる中継レベルの、又は異なる情報ソースからの、しかし同じ情報の内容を有する情報は、１度だけ転送されることができ、繰り返される伝送を回避し、チャネルリソースを節約する。これは、Ｄ２Ｄのシナリオにおいて、比較的長い距離又はチャネル品質の比較的大きな変化のために端末デバイスがＤ２Ｄ通信を実施できない、という従来技術における問題を解決する。
【０１４７】
図１に対応する実施例に基づいて、本発明の別の実施例は第１のデバイスを提供し、図１に対応する実施例において説明された情報伝送方法を実行するように構成され、好ましくはデバイス間Ｄ２Ｄのシナリオに適用される。図８に示されたように、第１のデバイス８０は、少なくとも１つのプロセッサ８０１、メモリ８０２、バス８０３、及び送信機８０４を含む。少なくとも１つのプロセッサ８０１、メモリ８０２、及び送信機８０４は、バス８０３を使用して互いに接続され通信する。
【０１４８】
バス８０３は、ＩＳＡ（Ｉｎｄｕｓｔｒｙ  Ｓｔａｎｄａｒｄ  Ａｒｃｈｉｔｅｃｔｕｒｅ，インダストリスタンダードアーキテクチャ）バス、ＰＣＩ（Ｐｅｒｉｐｈｅｒａｌ  Ｃｏｍｐｏｎｅｎｔ，周辺装置相互接続）バス、ＥＩＳＡ（Ｅｘｔｅｎｄｅｄ  Ｉｎｄｕｓｔｒｙ  Ｓｔａｎｄａｒｄ  Ａｒｃｈｉｔｅｃｔｕｒｅ，拡張インダストリスタンダードアーキテクチャ）バス、又は同様のものであってよい。バス８０３は、アドレスバス、データバス、制御バス、及び同様のものに分類されてよい。表現の利便性のために、１つの太線だけが図８における表現のために使用されるが、１つのバス又は１つのタイプのバスだけが存在することを表さない。
【０１４９】
メモリ８０２は、本発明の解決法を実行するためのアプリケーションプログラムコードのために使用される。本発明の解決法を実行するためのアプリケーションプログラムコードは、メモリ内に格納され、プロセッサ８０１によって制御され、実行される。
【０１５０】
メモリは、リードオンリメモリＲＯＭ又は静的情報及び命令を格納できる別のタイプの静的ストレージデバイス、ランダムアクセスメモリＲＡＭ又は情報及び命令を格納できる別のタイプの動的ストレージデバイス、或いは電気的消去可能プログラマブルリードオンリメモリＥＥＰＲＯＭ、コンパクトディスクリードオンリメモリＣＤ−ＲＯＭ若しくは別のコンパクトディスクメモリ、光ディスク（圧縮されたディスク（ｄｉｓｃ）、レーザディスク（ｄｉｓｋ）、光ディスク（ｄｉｓｃ）、デジタル式の一般的な光ディスク、ブルーレイディスク、若しくは同様のものを含む）メモリ、磁気ディスク（ｄｉｓｋ）ストレージ媒体若しくは別の磁気記憶装置、又は所定のプログラムコードを命令若しくはデータ構造の形で搬送若しくは格納するために使用されることができ、コンピュータによってアクセスされることができる任意の他の媒体であってよいが、これらに限定されない。これらのメモリはバスを使用してプロセッサに接続される。
【０１５１】
プロセッサ８０１は、中央処理装置８０１（Ｃｅｎｔｒａｌ  Ｐｒｏｃｅｓｓｉｎｇ  Ｕｎｉｔ，略してＣＰＵ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，略してＡＳＩＣ）、又は本発明の本実施例を実装するように構成された１つ若しくは複数の集積回路であってよい。
【０１５２】
プロセッサ８０１は、第１のスクランブリングシーケンスを第１のスクランブリングシードに従って生成するとともに、第１の情報を第１のスクランブリングシーケンスに従ってスクランブルするように構成される。第１のスクランブリングシードは、第１の情報の中継レベル又は情報ソースに従って生成され、第１の情報の中継レベルは、受信エンドに伝送される前に第１の情報が通過した中継デバイスの量を示すために使用され、第１の情報の情報ソースは、第１の情報を伝送するための開始デバイスの位置を示すために使用される。
【０１５３】
送信機８０４は、プロセッサ８０１によってスクランブルされた第１の情報を送信するように構成される。
【０１５４】
任意選択で、応用シナリオにおいて、第１のデバイス８０は受信機８０５を更に含む。受信機８０５は、プロセッサ８０１、メモリ８０２、及び送信機８０４に、バス８０３を使用して相互接続される。
【０１５５】
受信機８０５は、第２の情報の中継レベルが事前設定されたレベルであるか、又は第２の情報の情報ソースが事前設定されたソースであるとき、第２の情報を受信するように構成される。第２の情報の中継レベルは、第１のデバイスに伝送される前に第２の情報が通過した中継デバイスの量を示すために使用され、第２の情報の情報ソースは、第２の情報を伝送するための開始デバイスの位置を示すために使用される。任意選択で、第１の情報を伝送するための開始デバイスの位置は、ネットワークカバレッジエリアの内部又はネットワークカバレッジエリアの外側にある。
【０１５６】
プロセッサ８０１は、第２のスクランブリングシーケンスを第２のスクランブリングシードに従って生成するとともに、第２の情報を第２のスクランブリングシーケンスに従ってデスクランブルするように更に構成される。第２のスクランブリングシードは、受信機８０５によって受信された第２の情報の中継レベル又は情報ソースに従って生成される。
【０１５７】
更に任意選択で、プロセッサ８０１は、第２のスクランブリングシードが第２の情報の中継レベルを示すとき、１を加算した第２の情報の中継レベルを第２の情報の新しい中継レベルとして使用し、第３のスクランブリングシードを第２の情報の新しい中継レベルに従って生成するとともに、第３のスクランブリングシーケンスを第３のスクランブリングシードに従って生成し、そして第２の情報を第３のスクランブリングシーケンスに従ってスクランブルするように更に構成される。
【０１５８】
送信機８０４は、プロセッサ８０１によってスクランブルされた第２の情報を送信するように更に構成される。
【０１５９】
任意選択で、第１のスクランブリングシード内のＮビットは、第１の情報の中継レベル又は情報ソースを示すために使用されてよく、Ｎは０より大きい整数である。
【０１６０】
任意選択で、第１のスクランブリングシードは物理層の識別情報ＩＤを代わりに含んでよく、物理層のＩＤは第１の情報の中継レベル又は情報ソースを示すために使用される。
【０１６１】
物理層のＩＤが第１の情報の中継レベルを示すために使用される場合、２つの具体的な実装形態が本明細書で説明のために列挙される。
【０１６２】
実装形態１：第１のスクランブリングシードに含まれる物理層のＩＤのシーケンスが第１のシーケンスであるとき、第１の情報の中継レベルは０であり、第１のスクランブリングシードに含まれる物理層のＩＤのシーケンスが第（ｉ＋１）のシーケンスであるとき、第１の情報の中継レベルはｉであり、ここでｉは正の整数である。
【０１６３】
実装形態２：第１のスクランブリングシードに含まれる物理層のＩＤのオフセットが第１のオフセットであるとき、第１の情報の中継レベルは０であり、第１のスクランブリングシードに含まれる物理層のＩＤのオフセットが第（ｉ＋１）のオフセットであるとき、第１の情報の中継レベルはｉであり、ここでｉは正の整数である。
【０１６４】
任意選択で、第１の情報は、制御シグナリング、データ情報、又は発見信号である。
【０１６５】
本発明の本実施例において提供された第１のデバイスは、第１のスクランブリングシーケンスを第１のスクランブリングシードに従って生成し、第１の情報を第１のスクランブリングシーケンスに従ってスクランブルするとともに、第１の情報を送信し、ここで第１のスクランブリングシードは、第１の情報の中継レベル又は情報ソースに従って生成される。第１のスクランブリングシードが第１の情報の中継レベル又は情報ソースを示すので、異なる中継レベルの、又は異なる情報ソースからの、しかし同じ情報の内容を有する情報は、１度だけ転送されることができ、繰り返される伝送を回避し、チャネルリソースを節約する。これは、Ｄ２Ｄのシナリオにおいて、比較的長い距離又はチャネル品質の比較的大きな変化のために端末デバイスがＤ２Ｄ通信を実施できない、という従来技術における問題を解決する。
【０１６６】
図３に対応する実施例に基づいて、本発明の別の実施例は第２のデバイスを提供し、図３に対応する実施例において説明された情報伝送方法を実行するように構成され、好ましくはデバイス間Ｄ２Ｄのシナリオに適用される。図９に示されたように、第２のデバイス９０は、少なくとも１つのプロセッサ９０１、メモリ９０２、バス９０３、及び受信機９０４を含む。少なくとも１つのプロセッサ９０１、メモリ９０２、及び受信機９０４は、バス９０３を使用して互いに接続され、通信する。
【０１６７】
バス９０３は、ＩＳＡ（Ｉｎｄｕｓｔｒｙ  Ｓｔａｎｄａｒｄ  Ａｒｃｈｉｔｅｃｔｕｒｅ，インダストリスタンダードアーキテクチャ）バス、ＰＣＩ（Ｐｅｒｉｐｈｅｒａｌ  Ｃｏｍｐｏｎｅｎｔ，周辺装置相互接続）バス、ＥＩＳＡ（Ｅｘｔｅｎｄｅｄ  Ｉｎｄｕｓｔｒｙ  Ｓｔａｎｄａｒｄ  Ａｒｃｈｉｔｅｃｔｕｒｅ，拡張インダストリスタンダードアーキテクチャ）バス、又は同様のものであってよい。バス９０３は、アドレスバス、データバス、制御バス、及び同様のものに分類されてよい。表現の利便性のために、１つの太線だけが図９における表現のために使用されるが、１つのバス又は１つのタイプのバスだけが存在することを表さない。
【０１６８】
メモリ９０２は、本発明の解決法を実行するためのアプリケーションプログラムコードのために使用される。本発明の解決法を実行するためのアプリケーションプログラムコードは、メモリ内に格納され、プロセッサ９０１によって制御され、実行される。
【０１６９】
メモリは、リードオンリメモリＲＯＭ又は静的情報及び命令を格納できる別のタイプの静的ストレージデバイス、ランダムアクセスメモリＲＡＭ又は情報及び命令を格納できる別のタイプの動的ストレージデバイス、或いは電気的消去可能プログラマブルリードオンリメモリＥＥＰＲＯＭ、コンパクトディスクリードオンリメモリＣＤ−ＲＯＭ若しくは別のコンパクトディスクメモリ、光ディスク（圧縮されたディスク（ｄｉｓｃ）、レーザディスク（ｄｉｓｋ）、光ディスク（ｄｉｓｃ）、デジタル式の一般的な光ディスク、ブルーレイディスク、若しくは同様のものを含む）メモリ、磁気ディスク（ｄｉｓｋ）ストレージ媒体若しくは別の磁気記憶装置、又は所定のプログラムコードを命令若しくはデータ構造の形で搬送若しくは格納するために使用されることができ、コンピュータによってアクセスされることができる任意の他の媒体であってよいが、これらに限定されない。これらのメモリはバスを使用してプロセッサに接続される。
【０１７０】
プロセッサ９０１は、中央処理装置９０１（Ｃｅｎｔｒａｌ  Ｐｒｏｃｅｓｓｉｎｇ  Ｕｎｉｔ，略してＣＰＵ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，略してＡＳＩＣ）、又は本発明の本実施例を実装するように構成された１つ若しくは複数の集積回路であってよい。
【０１７１】
受信機９０４は、第１の情報の中継レベルが事前設定されたレベルであるか、又は第１の情報の情報ソースが事前設定されたソースであるとき、第１の情報を受信するように構成される。第１の情報の中継レベルは、第２のデバイスに伝送される前に第１の情報が通過した中継デバイスの量を示すために使用される。第１の情報の情報ソースは、第１の情報を伝送するための開始デバイスの位置を示すために使用される。任意選択で、第１の情報を伝送するための開始デバイスの位置は、ネットワークカバレッジエリアの内部又はネットワークカバレッジエリアの外側にある。
【０１７２】
プロセッサ９０１は、第１のスクランブリングシーケンスを第１のスクランブリングシードに従って生成するとともに、第１の情報を第１のスクランブリングシーケンスに従ってデスクランブルするように構成される。第１のスクランブリングシードは、第１の情報の中継レベル又は情報ソースに従って生成される。
【０１７３】
任意選択で、第２のデバイス９０は送信機９０５を更に含む。送信機９０５は、プロセッサ９０１、メモリ９０２、及び送信機９０５にバス９０３を使用して相互接続される。
【０１７４】
任意選択で、応用シナリオにおいて、
【０１７５】
プロセッサ９０１は、第２のスクランブリングシーケンスを第２のスクランブリングシードに従って生成するとともに、第２の情報を第２のスクランブリングシーケンスに従ってスクランブルするように更に構成される。第２のスクランブリングシードは、第２の情報の中継レベル又は情報ソースに従って生成され、第２の情報の中継レベルは、受信エンドに伝送される前に第２の情報が通過した中継デバイスの量を示すために使用され、第２の情報の情報ソースは、第２の情報を伝送するための開始デバイスの位置を示すために使用される。
【０１７６】
送信機９０５は、プロセッサ９０１によってスクランブルされた第２の情報を送信するように構成される。
【０１７７】
任意選択で、別の応用シナリオにおいて、
【０１７８】
プロセッサ９０１は、第１のスクランブリングシードが第１の情報の中継レベルを示すとき、１を加算した第１の情報の中継レベルを第１の情報の新しい中継レベルとして使用し、第３のスクランブリングシードを第１の情報の新しい中継レベルに従って生成するとともに、第３のスクランブリングシーケンスを第３のスクランブリングシードに従って生成し、そして第１の情報を第３のスクランブリングシーケンスに従ってスクランブルするように更に構成される。
【０１７９】
送信機９０５は、プロセッサ９０１によってスクランブルされた第１の情報を送信するように構成される。
【０１８０】
任意選択で、第１のスクランブリングシード内のＮビットは、第１の情報の中継レベル又は情報ソースを示すために使用されてよく、Ｎは０より大きい整数である。
【０１８１】
任意選択で、第１のスクランブリングシードは物理層の識別情報ＩＤを代わりに含んでよく、物理層のＩＤは第１の情報の中継レベル又は情報ソースを示すために使用される。
【０１８２】
物理層のＩＤが第１の情報の中継レベルを示すために使用される場合、２つの具体的な実装形態が本明細書で説明のために列挙される。
【０１８３】
実装形態１：第１のスクランブリングシードに含まれる物理層のＩＤのシーケンスが第１のシーケンスであるとき、第１の情報の中継レベルは０であり、第１のスクランブリングシードに含まれる物理層のＩＤのシーケンスが第（ｉ＋１）のシーケンスであるとき、第１の情報の中継レベルはｉであり、ここでｉは正の整数である。
【０１８４】
実装形態２：第１のスクランブリングシードに含まれる物理層のＩＤのオフセットが第１のオフセットであるとき、第１の情報の中継レベルは０であり、第１のスクランブリングシードに含まれる物理層のＩＤのオフセットが第（ｉ＋１）のオフセットであるとき、第１の情報の中継レベルはｉであり、ここでｉは正の整数である。
【０１８５】
任意選択で、第１の情報は、制御シグナリング、データ情報、又は発見信号である。
【０１８６】
本発明の本実施例において提供された第２のデバイスは、第１の情報の中継レベルが事前設定されたレベルであるか、又は第１の情報の情報ソースが事前設定されたソースであるとき、第１の情報を受信し、第１のスクランブリングシーケンスを第１のスクランブリングシードに従って生成するとともに、第１の情報を第１のスクランブリングシーケンスに従ってデスクランブルし、ここで第１のスクランブリングシードは、第１の情報の中継レベル又は情報ソースに従って生成される。第１のスクランブリングシードが第１の情報の中継レベル又は情報ソースを示すので、異なる中継レベルの、又は異なる情報ソースからの、しかし同じ情報の内容を有する情報は、１度だけ転送されることができ、繰り返される伝送を回避し、チャネルリソースを節約する。これは、Ｄ２Ｄのシナリオにおいて、比較的長い距離又はチャネル品質の比較的大きな変化のために端末デバイスがＤ２Ｄ通信を実施できない、という従来技術における問題を解決する。
【０１８７】
図１、図３、及び図５に対応する実施例に基づいて、本発明の実施例はワイヤレスネットワークシステムを提供し、図１、図３、及び図５に対応する実施例において説明された情報伝送方法を実行するように構成される。図１０に示されたように、ワイヤレスネットワークシステム１００は、第１のデバイス１００１及び第２のデバイス１００２を含む。
【０１８８】
第１のデバイス１００１は図６に対応する実施例において説明された第１のデバイスであり、第２のデバイス１００２は図７に対応する実施例において説明された第２のデバイスである。
【０１８９】
或いは、第１のデバイス１００１は図８に対応する実施例において説明された第１のデバイスであり、第２のデバイス１００２は図９に対応する実施例において説明された第２のデバイスである。
【０１９０】
本発明の本実施例において提供されたワイヤレスネットワークシステムによれば、第１のデバイスは、第１のスクランブリングシーケンスを第１のスクランブリングシードに従って生成し、第１の情報を第１のスクランブリングシーケンスに従ってスクランブルするとともに、第１の情報を送信し、ここで第１のスクランブリングシードは、第１の情報の中継レベル又は情報ソースに従って生成される。第１のスクランブリングシードが第１の情報の中継レベル又は情報ソースを示すので、異なる中継レベルの、又は異なる情報ソースからの、しかし同じ情報の内容を有する情報は、１度だけ転送されることができ、繰り返される伝送を回避し、チャネルリソースを節約する。これは、Ｄ２Ｄのシナリオにおいて、比較的長い距離又はチャネル品質の比較的大きな変化のために端末デバイスがＤ２Ｄ通信を実施できない、という従来技術における問題を解決する。
【０１９１】
前述の実施例の説明で、当業者は、本発明は、ハードウェア、ファームウェア、又はその組合せによって実装されてよいことを明確に理解し得る。本発明がソフトウェアによって実装されるとき、前述の機能は、コンピュータ読み取り可能な媒体内に格納され、又はコンピュータ読み取り可能な媒体内の１つ若しくは複数の命令若しくはコードとして伝送されてよい。コンピュータ読み取り可能な媒体はコンピュータストレージ媒体及び通信媒体を含み、ここで通信媒体はコンピュータプログラムがある場所から別の場所へ伝送されることを可能にする任意の媒体を含む。ストレージ媒体は、コンピュータにアクセス可能な任意の利用可能な媒体であってよい。下記は一例として受け取られるが、限定されない。コンピュータ読み取り可能な媒体は、ＲＡＭ（Ｒａｎｄｏｍ  Ａｃｃｅｓｓ  Ｍｅｍｏｒｙ，ランダムアクセスメモリ）、ＲＯＭ（Ｒｅａｄ−Ｏｎｌｙ  Ｍｅｍｏｒｙ，リードオンリメモリ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ，電気的消去可能プログラマブルリードオンリメモリ）、ＣＤ−ＲＯＭ（Ｃｏｍｐａｃｔ  Ｄｉｓｃ  Ｒｅａｄ−Ｏｎｌｙ  Ｍｅｍｏｒｙ，コンパクトディスクリードオンリメモリ）若しくは他の光ディスク（ｄｉｓｋ）ストレージ、ディスク（ｄｉｓｋ）ストレージ媒体若しくは他のディスク（ｄｉｓｋ）ストレージ、又はコマンド若しくはデータ構造の形で所定のプログラムコードを搬送若しくは格納するために使用されることができ、コンピュータによってアクセスされることができる任意の他の媒体を含んでよい。加えて、任意の接続がコンピュータ読み取り可能な媒体として適宜定義されてよい。例えば、ソフトウェアが、ウェブサイト、サーバ、又は別のリモートのソースから、同軸ケーブル、光ファイバ／ケーブル、ツイストペア、ＤＳＬ（Ｄｉｇｉｔａｌ  Ｓｕｂｓｃｒｉｂｅｒ  Ｌｉｎｅ，デジタル加入者線）、又は赤外線、無線、及びマイクロ波などのワイヤレス技術を使用することによって伝送される場合、同軸ケーブル、光ファイバ／ケーブル、ツイストペア、ＤＳＬ、又は赤外線、無線、及びマイクロ波などのワイヤレス技術は、これらが属する媒体に固定された状態で含まれる。例えば、本発明によって使用されるディスク（ｄｉｓｋ）及びディスク（ｄｉｓｃ）は、ＣＤ（Ｃｏｍｐａｃｔ  Ｄｉｓｃ，コンパクトディスク）、レーザディスク、光ディスク、ＤＶＤディスク（Ｄｉｇｉｔａｌ  Ｖｅｒｓａｔｉｌｅ  Ｄｉｓｃ，デジタル多用途ディスク）、フロッピーディスク（ｄｉｓｋ）、及びブルーレイディスクを含み、ここで一般にディスク（ｄｉｓｋ）はデータを磁気手段によってコピーし、ディスク（ｄｉｓｃ）はデータをレーザ手段によって光学的にコピーする。前述の組合せも、コンピュータ読み取り可能な媒体の保護範囲に含まれるべきである。
【０１９２】
前述の説明は本発明の具体的な実装形態に過ぎないが、本発明の保護範囲を限定することを意図されていない。当業者によって本発明において開示された技術的な範囲内で容易に考え出されるあらゆる変形又は置換は、本発明の保護範囲に含まれるものとする。したがって、本発明の保護範囲は、請求項の保護範囲に従うものとする。
【図１】
2018518874.tif 000003
【図２】
2018518874.tif 000004
【図３】
2018518874.tif 000005
【図４】
2018518874.tif 000006
【図５】
2018518874.tif 000007
【図６】
2018518874.tif 000008
【図７】
2018518874.tif 000009
【図８】
2018518874.tif 000010
【図９】
2018518874.tif 000011
【図１０】
2018518874.tif 000012
【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
デバイス間Ｄ２Ｄのシナリオに適用される情報伝送方法であって、
第１のデバイスによって、第１のスクランブリングシーケンスを第１のスクランブリングシードに従って生成するステップであって、前記第１のスクランブリングシードは、第１の情報の中継レベル又は情報ソースに従って生成され、前記第１の情報の前記中継レベルは、受信エンドに伝送される前に前記第１の情報が通過した中継デバイスの量を示すために使用され、前記第１の情報の前記情報ソースは、前記第１の情報を伝送するための開始デバイスの位置を示すために使用される、ステップと、
前記第１のデバイスによって、前記第１の情報を前記第１のスクランブリングシーケンスに従ってスクランブルするとともに、前記第１の情報を送信するステップとを含む、情報伝送方法。
【請求項２】
当該方法は、
第２の情報の中継レベルが事前設定されたレベルであるか、又は前記第２の情報の情報ソースが事前設定されたソースであるとき、前記第１のデバイスによって、前記第２の情報を受信するステップであって、前記第２の情報の前記中継レベルは、前記第１のデバイスに伝送される前に前記第２の情報が通過した中継デバイスの量を示すために使用され、前記第２の情報の前記情報ソースは、前記第２の情報を伝送するための開始デバイスの位置を示すために使用される、ステップと、
前記第１のデバイスによって、第２のスクランブリングシーケンスを第２のスクランブリングシードに従って生成するステップであって、前記第２のスクランブリングシードは、前記第２の情報の前記中継レベル又は情報ソースに従って生成される、ステップと、
前記第１のデバイスによって、前記第２の情報を前記第２のスクランブリングシーケンスに従ってデスクランブルするステップとを更に含む、請求項１に記載の方法。
【請求項３】
前記第２のスクランブリングシードが前記第２の情報の前記中継レベルを示すとき、
前記第１のデバイスによって、前記第２の情報を前記第２のスクランブリングシーケンスに従ってデスクランブルする前記ステップの後に、当該方法は、
前記第１のデバイスによって、１を加算した前記第２の情報の前記中継レベルを前記第２の情報の新しい中継レベルとして使用し、第３のスクランブリングシードを前記第２の情報の前記新しい中継レベルに従って生成するとともに、第３のスクランブリングシーケンスを前記第３のスクランブリングシードに従って生成するステップと、
前記第１のデバイスによって、前記第２の情報を前記第３のスクランブリングシーケンスに従ってスクランブルするとともに、前記第２の情報を送信するステップとを更に含む、請求項２に記載の方法。
【請求項４】
前記第１のスクランブリングシード内のＮビットは、前記第１の情報の前記中継レベル又は情報ソースを示すために使用され、Ｎは０より大きい整数である、請求項１から３のいずれか一項に記載の方法。
【請求項５】
前記第１のスクランブリングシードは物理層の識別情報ＩＤを含み、前記物理層のＩＤは前記第１の情報の前記中継レベル又は情報ソースを示すために使用される、請求項１から４のいずれか一項に記載の方法。
【請求項６】
前記物理層のＩＤは前記第１の情報の前記中継レベルを示すために使用され、
前記第１のスクランブリングシードに含まれる前記物理層のＩＤのシーケンスが第１のシーケンスであるとき、前記第１の情報の前記中継レベルは０であり、前記第１のスクランブリングシードに含まれる前記物理層のＩＤの前記シーケンスが第（ｉ＋１）のシーケンスであるとき、前記第１の情報の前記中継レベルはｉであり、ｉは正の整数である、請求項５に記載の方法。
【請求項７】
前記物理層のＩＤは前記第１の情報の前記中継レベルを示すために使用され、
前記第１のスクランブリングシードに含まれる前記物理層のＩＤのオフセットが第１のオフセットであるとき、前記第１の情報の前記中継レベルは０であり、前記第１のスクランブリングシードに含まれる前記物理層のＩＤの前記オフセットが第（ｉ＋１）のオフセットであるとき、前記第１の情報の前記中継レベルはｉであり、ｉは正の整数である、請求項５に記載の方法。
【請求項８】
前記第１の情報は、制御シグナリング、データ情報、又は発見信号である、請求項１から７のいずれか一項に記載の方法。
【請求項９】
前記第１の情報を伝送するための前記開始デバイスの前記位置は、ネットワークカバレッジエリアの内部又はネットワークカバレッジエリアの外側にある、請求項１から７のいずれか一項に記載の方法。
【請求項１０】
デバイス間Ｄ２Ｄのシナリオに適用される情報伝送方法であって、
第１の情報の中継レベルが事前設定されたレベルであるか、又は前記第１の情報の情報ソースが事前設定されたソースであるとき、第２のデバイスによって、前記第１の情報を受信するステップであって、前記第１の情報の前記中継レベルは、前記第２のデバイスに伝送される前に前記第１の情報が通過した中継デバイスの量を示すために使用され、前記第１の情報の前記情報ソースは、前記第１の情報を伝送するための開始デバイスの位置を示すために使用される、ステップと、
前記第２のデバイスによって、第１のスクランブリングシーケンスを第１のスクランブリングシードに従って生成するステップであって、前記第１のスクランブリングシードは、前記第１の情報の前記中継レベル又は情報ソースに従って生成される、ステップと、
前記第２のデバイスによって、前記第１の情報を前記第１のスクランブリングシーケンスに従ってデスクランブルするステップとを含む、情報伝送方法。
【請求項１１】
当該方法は、
前記第２のデバイスによって、第２のスクランブリングシーケンスを第２のスクランブリングシードに従って生成するステップであって、前記第２のスクランブリングシードは、第２の情報の中継レベル又は情報ソースに従って生成され、前記第２の情報の前記中継レベルは、受信エンドに伝送される前に前記第２の情報が通過した中継デバイスの量を示すために使用され、前記第２の情報の前記情報ソースは、前記第２の情報を伝送するための開始デバイスの位置を示すために使用される、ステップと、
前記第２のデバイスによって、前記第２の情報を前記第２のスクランブリングシーケンスに従ってスクランブルするとともに、前記第２の情報を送信するステップとを更に含む、請求項１０に記載の方法。
【請求項１２】
前記第１のスクランブリングシードが前記第１の情報の前記中継レベルを示すとき、
前記第２のデバイスによって、前記第１の情報を前記第１のスクランブリングシーケンスに従ってデスクランブルする前記ステップの後に、当該方法は、
前記第２のデバイスによって、１を加算した前記第１の情報の前記中継レベルを前記第１の情報の新しい中継レベルとして使用し、第３のスクランブリングシードを前記第１の情報の前記新しい中継レベルに従って生成するとともに、第３のスクランブリングシーケンスを前記第３のスクランブリングシードに従って生成するステップと、
前記第２のデバイスによって、前記第１の情報を前記第３のスクランブリングシーケンスに従ってスクランブルするとともに、前記第１の情報を送信するステップとを更に含む、請求項１０に記載の方法。
【請求項１３】
前記第１のスクランブリングシード内のＮビットは、前記第１の情報の前記中継レベル又は情報ソースを示し、Ｎは０より大きい整数である、請求項１０から１２のいずれか一項に記載の方法。
【請求項１４】
前記第１のスクランブリングシードは物理層の識別情報ＩＤを含み、前記物理層のＩＤは前記第１の情報の前記中継レベル又は情報ソースを示すために使用される、請求項１０から１３のいずれか一項に記載の方法。
【請求項１５】
前記物理層のＩＤは前記第１の情報の前記中継レベルを示すために使用され、
前記第１のスクランブリングシードに含まれる前記物理層のＩＤのシーケンスが第１のシーケンスであるとき、前記第１の情報の前記中継レベルは０であり、前記第１のスクランブリングシードに含まれる前記物理層のＩＤの前記シーケンスが第（ｉ＋１）のシーケンスであるとき、前記第１の情報の前記中継レベルはｉであり、ｉは正の整数である、請求項１４に記載の方法。
【請求項１６】
前記第１のスクランブリングシードに含まれる前記物理層のＩＤのオフセットが第１のオフセットであるとき、前記第１の情報の前記中継レベルは０であり、前記第１のスクランブリングシードに含まれる前記物理層のＩＤの前記オフセットが第（ｉ＋１）のオフセットであるとき、前記第１の情報の前記中継レベルはｉであり、ｉは正の整数である、請求項１４に記載の方法。
【請求項１７】
前記第１の情報は、制御シグナリング、データ情報、又は発見信号である、請求項１０から１６のいずれか一項に記載の方法。
【請求項１８】
前記第１の情報を伝送するための前記開始デバイスの前記位置は、ネットワークカバレッジエリアの内部又はネットワークカバレッジエリアの外側にある、請求項１０から１７のいずれか一項に記載の方法。
【手続補正２】
【補正対象書類名】明細書
【補正対象項目名】００１５
【補正方法】変更
【補正の内容】
【００１５】
第２の態様によれば、本発明の実施例は第２のデバイスを提供し、これはデバイス間Ｄ２Ｄのシナリオに適用され、第２のデバイスは、プロセッサ、メモリ、バス、及び受信機を含み、プロセッサ、メモリ、及び受信機は、バスを使用して相互接続され、
受信機は、第１の情報の中継レベルが事前設定されたレベルであるか、又は第１の情報の情報ソースが事前設定されたソースであるとき、第１の情報を受信するように構成され、第１の情報の中継レベルは、第２のデバイスに伝送される前に第１の情報が通過した中継デバイスの量を示すために使用され、第１の情報の情報ソースは、第１の情報を伝送するための開始デバイスの位置を示すために使用され、
プロセッサは、第１のスクランブリングシーケンスを第１のスクランブリングシードに従って生成するとともに、第１の情報を第１のスクランブリングシーケンスに従ってデスクランブルするように構成され、第１のスクランブリングシードは、第１の情報の中継レベル又は情報ソースに従って生成される。
【手続補正３】
【補正対象書類名】明細書
【補正対象項目名】００１６
【補正方法】変更
【補正の内容】
【００１６】
第２の態様に関して、第１の可能な実装形態において、第２のデバイスは送信機を更に含み、送信機は、プロセッサ、メモリ、及び受信機にバスを使用して相互接続され、
プロセッサは、第２のスクランブリングシーケンスを第２のスクランブリングシードに従って生成するとともに、第２の情報を第２のスクランブリングシーケンスに従ってスクランブルするように更に構成され、第２のスクランブリングシードは、第２の情報の中継レベル又は情報ソースに従って生成され、第２の情報の中継レベルは、受信エンドに伝送される前に第２の情報が通過した中継デバイスの量を示すために使用され、第２の情報の情報ソースは、第２の情報を伝送するための開始デバイスの位置を示すために使用され、
送信機は、プロセッサによってスクランブルされた第２の情報を送信するように構成される。
【手続補正４】
【補正対象書類名】明細書
【補正対象項目名】００１７
【補正方法】変更
【補正の内容】
【００１７】
第２の態様に関して、第２の態様の第２の可能な実装形態において、第２のデバイスは送信機を更に含み、送信機は、プロセッサ、メモリ、及び受信機にバスを使用して相互接続され、
プロセッサは、第１のスクランブリングシードが第１の情報の中継レベルを示すとき、１を加算した第１の情報の中継レベルを第１の情報の新しい中継レベルとして使用し、第３のスクランブリングシードを第１の情報の新しい中継レベルに従って生成し、第３のスクランブリングシーケンスを第３のスクランブリングシードに従って生成するとともに、第１の情報を第３のスクランブリングシーケンスに従ってスクランブルするように更に構成され、
送信機は、プロセッサによってスクランブルされた第１の情報を送信するように構成される。
【手続補正５】
【補正対象書類名】明細書
【補正対象項目名】００２３
【補正方法】変更
【補正の内容】
【００２３】
第２の態様又は第２の態様の第１から第７の可能な実装形態のうちの任意の１つに関して、第２の態様の第８の可能な実装形態において、
第１の情報を伝送するための開始デバイスの位置は、ネットワークカバレッジエリアの内部又はネットワークカバレッジエリアの外側にある。
【手続補正６】
【補正対象書類名】明細書
【補正対象項目名】００３２
【補正方法】変更
【補正の内容】
【００３２】
第３の態様又は第３の態様の第１から第７の可能な実装形態のうちの任意の１つに関して、第３の態様の第８の可能な実装形態において、
第１の情報を伝送するための開始デバイスの位置は、ネットワークカバレッジエリアの内部又はネットワークカバレッジエリアの外側にある。
【手続補正７】
【補正対象書類名】明細書
【補正対象項目名】００３３
【補正方法】変更
【補正の内容】
【００３３】
第４の態様によれば、本発明の実施例は第２のデバイスを提供し、これはデバイス間Ｄ２Ｄのシナリオに適用され、
第１の情報の中継レベルが事前設定されたレベルであるか、又は第１の情報の情報ソースが事前設定されたソースであるとき、第１の情報を受信するように構成された受信ユニットであって、第１の情報の中継レベルは、第２のデバイスに伝送される前に第１の情報が通過した中継デバイスの量を示すために使用され、第１の情報の情報ソースは、第１の情報を伝送するための開始デバイスの位置を示すために使用される、受信ユニットと、
第１のスクランブリングシーケンスを第１のスクランブリングシードに従って生成するように構成されたスクランブリングコードユニットであって、第１のスクランブリングシードは、第１の情報の中継レベル又は情報ソースに従って生成される、スクランブリングコードユニットと、
第１の情報をスクランブリングコードユニットによって生成された第１のスクランブリングシーケンスに従ってデスクランブルするように構成されたデスクランブリングユニットとを含む。
【手続補正８】
【補正対象書類名】明細書
【補正対象項目名】００４１
【補正方法】変更
【補正の内容】
【００４１】
第４の態様又は第４の態様の第１から第７の可能な実装形態のうちの任意の１つに関して、第４の態様の第８の可能な実装形態において、
第１の情報を伝送するための開始デバイスの位置は、ネットワークカバレッジエリアの内部又はネットワークカバレッジエリアの外側にある。
【手続補正９】
【補正対象書類名】明細書
【補正対象項目名】００５０
【補正方法】変更
【補正の内容】
【００５０】
第５の態様又は第５の態様の第１から第７の可能な実装形態のうちの任意の１つに関して、第５の態様の第８の可能な実装形態において、
第１の情報を伝送するための開始デバイスの位置は、ネットワークカバレッジエリアの内部又はネットワークカバレッジエリアの外側にある。
【手続補正１０】
【補正対象書類名】明細書
【補正対象項目名】００５９
【補正方法】変更
【補正の内容】
【００５９】
第６の態様又は第６の態様の第１から第７の可能な実装形態のうちの任意の１つに関して、第６の態様の第８の可能な実装形態において、
第１の情報を伝送するための開始デバイスの位置は、ネットワークカバレッジエリアの内部又はネットワークカバレッジエリアの外側にある。
【手続補正１１】
【補正対象書類名】明細書
【補正対象項目名】００７１
【補正方法】変更
【補正の内容】
【００７１】
任意選択で、第１の情報は制御シグナリング又はデータ情報であってよい。図２に示されたように、図２は第１のスクランブリングシードの構造を示す。第１の情報が制御シグナリングであるとき、第１の構造が第１のスクランブリングシードの構造であり、第１の情報がデータ情報であるとき、第２の構造が第１のスクランブリングシードの構造である。第１のスクランブリングシード内のＮビットは、第１の情報の中継レベル又は情報ソースを示すために使用されてよく、ここでＮは０より大きい整数である。例えば、１つのビットが情報ソースを示すために使用されるとき、０は、第１の情報を伝送するための開始デバイスの位置がセルの中にあることを示し、１は、開始デバイスの位置がセルの外にあることを示す。別の例に関して、２つのビットが第１の情報の中継レベルを示すために使用されるとき、「００」は、第１の情報の中継レベルが０であることを示し、「０１」は、第１の情報の中継レベルが１であることを示し、「１０」は、第１の情報の中継レベルが２であることを示し、「１１」は、第１の情報の中継レベルが３であることを示す。確実に、これらは説明のための例に過ぎず、本発明がこれらに限定されることを意味しない。
【手続補正１２】
【補正対象書類名】明細書
【補正対象項目名】００８３
【補正方法】変更
【補正の内容】
【００８３】
第１の情報の中継レベルは、第２のデバイスに伝送される前に第１の情報が通過した中継デバイスの量を示すために使用される。第１の情報の情報ソースは、第１の情報を伝送するための開始デバイスの位置を示すために使用される。
【手続補正１３】
【補正対象書類名】明細書
【補正対象項目名】００８５
【補正方法】変更
【補正の内容】
【００８５】
図４に示されたような、ＬＴＥ（Ｌｏｎｇ  Ｔｅｒｍ  Ｅｖｏｌｕｔｉｏｎ，ロングタームエボリューション）システムにおけるＤ２Ｄのシナリオを一例として使用すると、第１のデバイス４０１がデータを第２のデバイス４０２に、第３のデバイス４０３及び第４のデバイス４０４を使用することによって伝送する必要がある場合、第１のデバイス４０１は、ＳＡ（Ｓｃｈｅｄｕｌｉｎｇ  Ａｓｓｉｇｎｍｅｎｔ，スケジューリング割当て）リソースを使用してスケジュールリングシグナリングを送信するとともに、データリソースを使用して対応するＤ２Ｄ信号を送信する必要があることに留意されたい。スケジュールリングシグナリングは、送信先アドレス、即ち第２のデバイスのアドレスを含む。このようにして、第１のデバイス４０１は、信号１を第１の期間内に送信し、その後信号２を第２の期間内に送信する。第１の期間は第２の期間に隣接する。第３のデバイス４０３は、信号１を第１の期間内に受信し、その後信号１を第２の期間内に送信する。このようにして、第４のデバイス４０４は、第２の期間内に、第１のデバイス４０１によって送信された信号２、及び第３のデバイス４０３によって送信された信号１を受信することができる。両方の信号の送信先アドレスが第４のデバイス４０４なので、２つの信号によって搬送されたデータ間のシーケンス関係は、識別されることができない。結果として、エラーがデータ受信中に発生する。しかし、本発明の本実施例において提供された情報伝送方法では、第４のデバイス４０４は事前設定されたレベルの信号を受信するだけである。したがって、同じ中継レベルの信号に対して、シーケンス関係は混乱に陥らない。これは、異なる信号間のシーケンス関係が識別されることができないのでエラーがデータ受信中に発生するという問題を回避する。加えて、異なる中継レベルの情報だが同じ内容を有する情報は１度だけ受信され、繰り返し受信することを回避する。
【手続補正１４】
【補正対象書類名】明細書
【補正対象項目名】０１４８
【補正方法】変更
【補正の内容】
【０１４８】
バス８０３は、ＩＳＡ（Ｉｎｄｕｓｔｒｙ  Ｓｔａｎｄａｒｄ  Ａｒｃｈｉｔｅｃｔｕｒｅ，インダストリスタンダードアーキテクチャ）バス、ＰＣＩ（Ｐｅｒｉｐｈｅｒａｌ  Ｃｏｍｐｏｎｅｎｔ  Ｉｎｔｅｒｃｏｎｎｅｃｔ，周辺装置相互接続）バス、ＥＩＳＡ（Ｅｘｔｅｎｄｅｄ  Ｉｎｄｕｓｔｒｙ  Ｓｔａｎｄａｒｄ  Ａｒｃｈｉｔｅｃｔｕｒｅ，拡張インダストリスタンダードアーキテクチャ）バス、又は同様のものであってよい。バス８０３は、アドレスバス、データバス、制御バス、及び同様のものに分類されてよい。表現の利便性のために、１つの太線だけが図８における表現のために使用されるが、１つのバス又は１つのタイプのバスだけが存在することを表さない。
【手続補正１５】
【補正対象書類名】明細書
【補正対象項目名】０１６７
【補正方法】変更
【補正の内容】
【０１６７】
バス９０３は、ＩＳＡ（Ｉｎｄｕｓｔｒｙ  Ｓｔａｎｄａｒｄ  Ａｒｃｈｉｔｅｃｔｕｒｅ，インダストリスタンダードアーキテクチャ）バス、ＰＣＩ（Ｐｅｒｉｐｈｅｒａｌ  Ｃｏｍｐｏｎｅｎｔ  Ｉｎｔｅｒｃｏｎｎｅｃｔ，周辺装置相互接続）バス、ＥＩＳＡ（Ｅｘｔｅｎｄｅｄ  Ｉｎｄｕｓｔｒｙ  Ｓｔａｎｄａｒｄ  Ａｒｃｈｉｔｅｃｔｕｒｅ，拡張インダストリスタンダードアーキテクチャ）バス、又は同様のものであってよい。バス９０３は、アドレスバス、データバス、制御バス、及び同様のものに分類されてよい。表現の利便性のために、１つの太線だけが図９における表現のために使用されるが、１つのバス又は１つのタイプのバスだけが存在することを表さない。
【手続補正１６】
【補正対象書類名】明細書
【補正対象項目名】０１７３
【補正方法】変更
【補正の内容】
【０１７３】
任意選択で、第２のデバイス９０は送信機９０５を更に含む。送信機９０５は、プロセッサ９０１、メモリ９０２、及び受信機９０４にバス９０３を使用して相互接続される。
【国際調査報告】
2018518874.tif 000013
2018518874.tif 000014
2018518874.tif 000015
2018518874.tif 000016